(57)【要約】  無線通信システムにおけるＵＥ（ｕｓｅｒ  ｅｑｕｉｐｍｅｎｔ）によって行われる方法は、少なくとも一つのＭＡＣ（ｍｅｄｉａ  ａｃｃｅｓｓ  ｃｏｎｔｒｏｌ）  ＰＤＵ（ｐｒｏｔｏｃｏｌ  ｄａｔａ  ｕｎｉｔ）の送信に対応する構成されたサイドリンクグラント（ｓｉｄｅｌｉｎｋ  ｇｒａｎｔ）を生成するように選択する段階と、（ｉ）一以上の搬送波と関連したＳＴＣＨ（ｓｉｄｅｌｉｎｋ  ｔｒａｆｆｉｃ  ｃｈａｎｎｅｌ）でデータが利用可能であることと、（ｉｉ）前記一つ以上の搬送波の中から前記ＳＴＣＨのために許容されたいずれの搬送波上でも構成されたサイドリンクグラントがないことに基づき、送信搬送波の選択（ｔｒａｎｓｍｉｓｓｉｏｎ  ｃａｒｒｉｅｒ  ｓｅｌｅｃｔｉｏｎ）をトリガーする段階とを含む。
2021512552.tif 000002
【特許請求の範囲】
【請求項１】
無線通信システムにおけるＵＥ（ｕｓｅｒ  ｅｑｕｉｐｍｅｎｔ：端末）によって行われる方法であって、
少なくとも一つのＭＡＣ（ｍｅｄｉａ  ａｃｃｅｓｓ  ｃｏｎｔｒｏｌ）  ＰＤＵ（ｐｒｏｔｏｃｏｌ  ｄａｔａ  ｕｎｉｔ）の送信に対応する構成されたサイドリンクグラント（ｓｉｄｅｌｉｎｋ  ｇｒａｎｔ）を生成するように選択する段階と、
（ｉ）一以上の搬送波と関連したＳＴＣＨ（ｓｉｄｅｌｉｎｋ  ｔｒａｆｆｉｃ  ｃｈａｎｎｅｌ）でデータが利用可能であることと、（ｉｉ）前記一つ以上の搬送波の中から前記ＳＴＣＨのために許容されたいずれの搬送波上でも構成されたサイドリンクグラントがないこととに基づき、送信搬送波の選択（ｔｒａｎｓｍｉｓｓｉｏｎ  ｃａｒｒｉｅｒ  ｓｅｌｅｃｔｉｏｎ）をトリガーする段階とを含む、方法。
【請求項２】
前記方法は、前記ＵＥのＭＡＣエンティティ（ｅｎｔｉｔｙ）によって実行される、請求項１に記載の方法。
【請求項３】
前記ＵＥの前記ＭＡＣエンティティは、感知（ｓｅｎｓｉｎｇ）、部分感知（ｐａｒｔｉａｌ  ｓｅｎｓｉｎｇ）、又はランダム選択（ｒａｎｄｏｍ  ｓｅｌｅｃｔｉｏｎ）に基づいて、前記一つ以上の搬送波で資源のプール（ｐｏｏｌ）を使用して送信するように上位層によって構成される、請求項２に記載の方法。
【請求項４】
前記ＵＥの上位層は、前記ＵＥのＲＲＣ（ｒａｄｉｏ  ｒｅｓｏｕｒｃｅ  ｃｏｎｔｒｏｌ）層である、請求項３に記載の方法。
【請求項５】
前記一以上の搬送波と関連した前記ＳＴＣＨで前記データが利用可能であることと、
前記ＳＴＣＨのために許容されたいずれの搬送波上でも前記構成されたサイドリンクグラントがないということは、前記ＳＴＣＨで利用可能な前記データが、前記一つ以上の搬送波の中から選択された搬送波と関連していないということを示す、請求項１に記載の方法。
【請求項６】
前記ＳＴＣＨと前記一つ以上の搬送波との間の関連（ａｓｓｏｃｉａｔｉｏｎ）は、ネットワークと事前構成（ｐｒｅ−ｃｏｎｆｉｇｕｒａｔｉｏｎ）のうち少なくとも一つにより構成される、請求項１に記載の方法。
【請求項７】
前記ＳＴＣＨは、前記ＳＴＣＨのＣＢＲ（ｃｈａｎｎｅｌ  ｂｕｓｙ  ｒａｔｉｏ）とＰＰＰＰ（ＰｒｏＳｅ（ｐｒｏｘｉｍｉｔｙ−ｂａｓｅｄ  ｓｅｒｖｉｃｅｓ）  ｐｅｒ−ｐａｃｋｅｔ  ｐｒｉｏｒｉｔｙ）のうち少なくとも一つに基づいて、前記一つ以上の搬送波のうち少なくとも一つの搬送波で送信されることができるように許容される、請求項６に記載の方法。
【請求項８】
前記送信搬送波の選択手続、前記少なくとも一つの搬送波のうち少なくとも一つの搬送波で前記ＳＴＣＨを送信する段階をさらに含む、請求項１に記載の方法。
【請求項９】
前記ＵＥは、ＵＥ、ネットワーク、及び／又は前記ＵＥと異なる自律車両のうち少なくとも一つと通信する、請求項１に記載の方法。
【請求項１０】
無線通信システムで作動するように構成されたＵＥ（ｕｓｅｒ  ｅｑｕｉｐｍｅｎｔ：端末）であって、
送受信機（ｔｒａｎｓｃｅｉｖｅｒ）と、
少なくとも一つのメモリと、
前記少なくとも一つのメモリと作動可能に連結された少なくとも一つのプロセッサとを備え、
前記少なくとも一つのプロセッサは、前記少なくとも一つのプロセッサにより行われる際に、
少なくとも一つのＭＡＣ（ｍｅｄｉａ  ａｃｃｅｓｓ  ｃｏｎｔｒｏｌ）  ＰＤＵ（ｐｒｏｔｏｃｏｌ  ｄａｔａ  ｕｎｉｔ）の送信に対応する構成されたサイドリンクグラント（ｓｉｄｅｌｉｎｋ  ｇｒａｎｔ）を生成するように選択する段階と、
（ｉ）一以上の搬送波と関連したＳＴＣＨ（ｓｉｄｅｌｉｎｋ  ｔｒａｆｆｉｃ  ｃｈａｎｎｅｌ）でデータが利用可能であることと、（ｉｉ）前記一つ以上の搬送波の中から前記ＳＴＣＨのために許容されたいずれの搬送波上でも構成されたサイドリンクグラントがないこととに基づき、送信搬送波の選択（ｔｒａｎｓｍｉｓｓｉｏｎ  ｃａｒｒｉｅｒ  ｓｅｌｅｃｔｉｏｎ）をトリガーする段階とを含む作動を実行する指示を保存する、ＵＥ。
【請求項１１】
前記作動は、前記ＵＥのＭＡＣエンティティ（ｅｎｔｉｔｙ）によって実行される、請求項１０に記載のＵＥ。
【請求項１２】
前記ＵＥの前記ＭＡＣエンティティは、感知（ｓｅｎｓｉｎｇ）、部分感知（ｐａｒｔｉａｌ  ｓｅｎｓｉｎｇ）、又はランダム選択（ｒａｎｄｏｍ  ｓｅｌｅｃｔｉｏｎ）に基づいて、前記一つ以上の搬送波で資源のプール（ｐｏｏｌ）を使用して送信するように上位層によって構成される、請求項１１に記載のＵＥ。
【請求項１３】
前記ＵＥの上位層は、前記ＵＥのＲＲＣ（ｒａｄｉｏ  ｒｅｓｏｕｒｃｅ  ｃｏｎｔｒｏｌ）層である、請求項１２に記載のＵＥ。
【請求項１４】
前記一以上の搬送波と関連した前記ＳＴＣＨで前記データが利用可能であることと、前記ＳＴＣＨのために許容されたいずれの搬送波上でも前記構成されたサイドリンクグラントがないということとは、前記ＳＴＣＨで利用可能な前記データが、前記一つ以上の搬送波の中から選択された搬送波と関連していないということを示す、請求項１０に記載のＵＥ。
【請求項１５】
装置であって、
少なくとも一つのメモリと、
前記少なくとも一つのメモリと作動可能に連結された少なくとも一つのプロセッサとを備え、
前記少なくとも一つのプロセッサは、前記少なくとも一つのプロセッサにより行われる際に、
少なくとも一つのＭＡＣ（ｍｅｄｉａ  ａｃｃｅｓｓ  ｃｏｎｔｒｏｌ）  ＰＤＵ（ｐｒｏｔｏｃｏｌ  ｄａｔａ  ｕｎｉｔ）の送信に対応する構成されたサイドリンクグラント（ｓｉｄｅｌｉｎｋ  ｇｒａｎｔ）を生成するように選択する段階と、
（ｉ）一以上の搬送波と関連したＳＴＣＨ（ｓｉｄｅｌｉｎｋ  ｔｒａｆｆｉｃ  ｃｈａｎｎｅｌ）でデータが利用可能であることと、（ｉｉ）前記一つ以上の搬送波の中から前記ＳＴＣＨのために許容されたいずれの搬送波上でも構成されたサイドリンクグラントがないこととに基づき、送信搬送波の選択（ｔｒａｎｓｍｉｓｓｉｏｎ  ｃａｒｒｉｅｒ  ｓｅｌｅｃｔｉｏｎ）をトリガーする段階とを含む作動を実行する指示を保存する、装置。
【発明の詳細な説明】
【技術分野】
【０００１】
一般に、本発明は、無線通信に関する。
【背景技術】
【０００２】
無線通信システムは、一般に、ユーザ及びプロバイダのコストを減らし、サービス品質を向上させて、サービスの範囲及びシステムの容量を拡張及び向上させることを目標とする。かかる目標を達成するために、一部のシナリオで、無線通信システムは、ビット当たりのコスト削減、サービス可用性の向上、周波数帯域の柔軟な使用、簡単な構造、開放型インターフェース、及び端末の適切な電力消費を上位層の要求事項として設計された。
【発明の概要】
【発明が解決しようとする課題】
【０００３】
本開示は、無線通信システムにおける送信搬送波の選択（ｔｒａｎｓｍｉｓｓｉｏｎ  ｃａｒｒｉｅｒ  ｓｅｌｅｃｔｉｏｎ）をトリガリング（ｔｒｉｇｇｅｒｉｎｇ）することができる実現を記載している。
【課題を解決するための手段】
【０００４】
一つの一般的な態様は、無線通信システムにおけるＵＥ（ｕｓｅｒ  ｅｑｕｉｐｍｅｎｔ）によって行われる方法を含み、前記方法は、少なくとも一つのＭＡＣ（ｍｅｄｉａ  ａｃｃｅｓｓ  ｃｏｎｔｒｏｌ）  ＰＤＵ（ｐｒｏｔｏｃｏｌ  ｄａｔａ  ｕｎｉｔ）に対応する構成されたサイドリンクグラント（ｓｉｄｅｌｉｎｋ  ｇｒａｎｔ）を生成するために選択する段階を含む。前記方法はまた、（ｉ）一以上の搬送波と関連したＳＴＣＨ（ｓｉｄｅｌｉｎｋ  ｔｒａｆｆｉｃ  ｃｈａｎｎｅｌ）でデータが利用可能であることと、（ｉｉ）前記一つ以上の搬送波の中から前記ＳＴＣＨのために許容されたいずれの搬送波上でも構成されたサイドリンクグラントがないことに基づき、送信搬送波の選択をトリガーする段階を含む。この態様の別の実施例は、対応するコンピュータシステム、装置、及び一つ以上のコンピュータ保存装置に記録されたコンピュータプログラムを含み、それぞれは方法の動作を行うように構成される。
【０００５】
実現は、次の特徴の一つ以上を含み得る。前記方法で、前記方法は前記ＵＥのＭＡＣエンティティ（ｅｎｔｉｔｙ）によって実行される。前記方法で、前記ＵＥの前記ＭＡＣエンティティは、感知（ｓｅｎｓｉｎｇ）、部分感知（ｐａｒｔｉａｌ  ｓｅｎｓｉｎｇ）、又はランダム選択（ｒａｎｄｏｍ  ｓｅｌｅｃｔｉｏｎ）に基づいて、一つ以上の搬送波で資源のプール（ｐｏｏｌ）を使用して送信するように、上位層によって構成される。前記方法で、前記ＵＥの上位層は、前記ＵＥのＲＲＣ（ｒａｄｉｏ  ｒｅｓｏｕｒｃｅ  ｃｏｎｔｒｏｌ）層である。前記方法で、一以上の搬送波と関連したＳＴＣＨでデータが利用可能であることと、前記ＳＴＣＨのために許容されたいずれの搬送波上でも構成されたサイドリンクグラントがないということは、前記ＳＴＣＨで利用可能なデータが、前記一つ以上の搬送波の中から選択された搬送波と関連していないということを示す。前記方法で、前記ＳＴＣＨと前記一つ以上の搬送波との間の関連は、ネットワーク又は事前構成（ｐｒｅ−ｃｏｎｆｉｇｕｒａｔｉｏｎ）のうち少なくとも一つにより構成される。前記方法で、前記ＳＴＣＨは、前記ＳＴＣＨのＣＢＲ（ｃｈａｎｎｅｌ  ｂｕｓｙ  ｒａｔｉｏ）又は前記ＳＴＣＨのＰＰＰＰ（ＰｒｏＳｅ（ｐｒｏｘｉｍｉｔｙ−ｂａｓｅｄ  ｓｅｒｖｉｃｅｓ）  ｐｅｒ−ｐａｃｋｅｔ  ｐｒｉｏｒｉｔｙ）のうち少なくとも一つに基づいて、一つ以上の搬送波のうち少なくとも一つの搬送波で送信されることができるように許容される。前記方法で、前記方法は前記送信搬送波の選択手続で、前記少なくとも一つの搬送波のうち少なくとも一つの搬送波で前記ＳＴＣＨを送信する段階をさらに含む。前記記載された技術の実現は、ハードウェア、方法又は手続、プロセッサ、コンピュータアクセス可能な媒体上のコンピュータソフトウェアを含み得る。
【０００６】
また別の一般的な態様は、無線通信システムで作動するように構成されたＵＥ（ｕｓｅｒ  ｅｑｕｉｐｍｅｎｔ）を含み、前記ＵＥは送受信機（ｔｒａｎｓｃｅｉｖｅｒ）を含む。前記ＵＥはまた、少なくとも一つのメモリ、及び前記少なくとも一つのメモリと作動可能に連結された少なくとも一つのプロセッサを含む。前記少なくとも一つのプロセッサは、前記少なくとも一つのプロセッサにより行われる際に動作を実行するコマンドを保存し、前記動作は少なくとも一つのＭＡＣ  ＰＤＵに対応する構成されたサイドリンクグラントを生成するために選択する段階を含む。また、前記ＵＥで、前記動作は、（ｉ）一以上の搬送波と関連したＳＴＣＨでデータが利用可能であることと、（ｉｉ）前記一つ以上の搬送波の中から前記ＳＴＣＨのために許容されたいずれの搬送波上でも構成されたサイドリンクグラントがないことに基づき、送信搬送波の選択をトリガーする段階を含む。この態様の別の実施例は、対応するコンピュータシステム、装置、及び一つ以上のコンピュータ保存装置に記録されたコンピュータプログラムを含み、それぞれは方法の動作を実行するように構成される。
【０００７】
実現は、次の特徴の一つ以上を含み得る。前記ＵＥで、前記動作は前記ＵＥのＭＡＣエンティティによって実行される。前記ＵＥで、前記ＵＥの前記ＭＡＣエンティティは、感知、部分感知、又はランダム選択に基づいて、一つ以上の搬送波で資源のプールを使用して送信するように、上位層により構成される。前記ＵＥで、前記ＵＥの上位層は、前記ＵＥのＲＲＣ層である。前記ＵＥで、一以上の搬送波と関連したＳＴＣＨでデータが利用可能であることと、前記ＳＴＣＨのために許容されたいずれの搬送波上でも構成されたサイドリンクグラントがないということは、前記ＳＴＣＨで利用可能なデータが、前記一つ以上の搬送波の中から選択された搬送波と関連していないということを示す。前記ＵＥで、前記ＳＴＣＨと前記一つ以上の搬送波との間の関連は、ネットワーク又は事前構成のうち少なくとも一つにより構成される。前記ＵＥで、前記ＳＴＣＨは、前記ＳＴＣＨのＣＢＲ、又は前記ＳＴＣＨのＰＰＰＰのうち少なくとも一つに基づいて、一つ以上の搬送波のうち少なくとも一つの搬送波で送信されることができるように許容される。前記ＵＥで、前記動作は、前記送信搬送波の選択手続で、前記少なくとも一つの搬送波のうち少なくとも一つの搬送波で前記ＳＴＣＨを一つ以上の送受信機を介して送信する段階をさらに含む。前記記載された技術の実現は、ハードウェア、方法又は手続、プロセッサ、コンピュータアクセス可能な媒体上のコンピュータソフトウェアを含み得る。
【０００８】
また別の一般的な態様は装置を含み、前記装置は、少なくとも一つのメモリ、及び前記少なくとも一つのメモリと作動可能に連結された少なくとも一つのプロセッサを含む。前記少なくとも一つのプロセッサは、前記少なくとも一つのプロセッサにより行われる際に動作を実行するコマンドを保存し、前記動作は少なくとも一つのＭＡＣ  ＰＤＵに対応する構成されたサイドリンクグラントを生成するために選択する段階を含む。前記装置で、前記動作は、（ｉ）一以上の搬送波と関連したＳＴＣＨでデータが利用可能であることと、（ｉｉ）  前記一つ以上の搬送波の中から前記ＳＴＣＨのために許容されたいずれの搬送波上でも構成されたサイドリンクグラントがないことに基づいて、送信搬送波の選択をトリガーする段階を含む。
【０００９】
この態様の別の実施例は、対応するコンピュータシステム、装置、及び一つ以上のコンピュータ保存装置に記録されたコンピュータプログラムを含み、それぞれは方法の動作を行うように構成される。
【００１０】
本開示の全般にわたって説明される特徴の全部又は一部は、一つ以上の非一時的な機械読取可能な保存媒体に保存され、一つ以上の処理装置で実行可能な指示を含むコンピュータプログラム製品として実現され得る。本開示の全般にわたって説明される特徴の全部又は一部は、言及された機能を実現するために、 一つ以上の処理装置及び実行可能な指示を保存するためのメモリを含み得る装置、方法、又は電子システムとして実現され得る。
【００１１】
本開示における特徴の一つ以上の実現の細部事項は、添付図及び以下の説明に記載されている。特徴の他の特徴、他の態様、及び利点は、詳細な説明、図面、並びに請求範囲から明らかになるであろう。
【発明の効果】
【００１２】
送信搬送波の選択手続が効果的にトリガーできる。
【図面の簡単な説明】
【００１３】
【図１】図１は、本開示の技術的特徴が適用できる無線通信システムの例を示す。
【図２】図２は、本開示の技術的特徴が適用できる無線通信システムの別の例を示す。
【図３】図３は、本開示の技術的特徴が適用できるユーザ平面プロトコルスタック（ｕｓｅｒ  ｐｌａｎｅ  ｐｒｏｔｏｃｏｌ  ｓｔａｃｋ）の例のブロック図を示す。
【図４】図４は、本開示の技術的特徴が適用できる制御平面プロトコルスタック（ｃｏｎｔｒｏｌ  ｐｌａｎｅ  ｐｒｏｔｏｃｏｌ  ｓｔａｃｋ）の例のブロック図を示す。
【図５】図５は、本開示の実現によるＴＸ搬送波の（再−）選択をトリガリングする例を示す。
【図６】図６は、本開示の一部の実現によるＵＥの例を表す。
【図７】図７は、本開示の一部の実現によるＵＥの付加的な細部事項の例を表す。
【図８】図８は、本開示の実現によるネットワークノードの例を示す。
【発明を実施するための形態】
【００１４】
Ｖ２Ｘ（Ｖｅｈｉｃｌｅ−ｔｏ−ｅｖｅｒｙｔｈｉｎｇ）通信は、車両から車両に影響を与え得るエンティティ（ｅｎｔｉｔｙ）へ、又はその逆に情報を通信するものである。前記Ｖ２Ｘの例は、Ｖ２Ｉ（ｖｅｈｉｃｌｅ−ｔｏ−ｉｎｆｒａｓｔｒｕｃｔｕｒｅ）、Ｖ２Ｎ（ｖｅｈｉｃｌｅ−ｔｏ−ｎｅｔｗｏｒｋ）、Ｖ２Ｖ（ｖｅｈｉｃｌｅ−ｔｏ−ｖｅｈｉｃｌｅ）、Ｖ２Ｐ（ｖｅｈｉｃｌｅ−ｔｏ−ｐｅｄｅｓｔｒｉａｎ）、Ｖ２Ｄ（ｖｅｈｉｃｌｅ−ｔｏ−ｄｅｖｉｃｅ）、及びＶ２Ｇ（ｖｅｈｉｃｌｅ−ｔｏ−ｇｒｉｄ）を含む。
【００１５】
前記Ｖ２Ｘシステムは、道路安全、交通の効率性、及び省エネルギーのような多様な目標を達成するように設計され得る。Ｖ２Ｘ通信技術は、基本技術（ｕｎｄｅｒｌｙｉｎｇ  ｔｅｃｈｎｏｌｏｇｙ）に応じて、ＷＬＮ（ｗｉｒｅｌｅｓｓ  ｌｏｃａｌ  ａｒｅａ  ｎｅｔｗｏｒｋ）ベースＶ２Ｘ、及びセルラーベースＶ２Ｘの二つのタイプに分類できる。
【００１６】
一部のＶ２Ｘシステムにおいて、Ｖ２Ｘのサイドリンク通信（ｓｉｄｅｌｉｎｋ  ｃｏｍｍｕｎｉｃａｔｉｏｎ）がサポートされ得る。また、一部のＶ２Ｘのサイドリンク通信は、搬送波集成（ＣＡ；ｃａｒｒｉｅｒ  ａｇｇｒｅｇａｔｉｏｎ）をサポートし得る。Ｖ２Ｘのサイドリンク通信がＣＡを実現するシナリオにおいて、実際の送信の間、搬送波は初期に選択されるか、又は集合された搬送波の中から再選択され得る。このようなＶ２ＸのサイドリンクのＣＡシナリオにおいて、搬送波の（再−）選択をトリガリング（ｔｒｉｇｇｅｒｉｎｇ）するための様々な条件があり得る。一部のシナリオにおいて、サイドリンクの資源選択（ｒｅｓｏｕｒｃｅ  ｓｅｌｅｃｔｉｏｎ）をトリガリングするための条件は、送信搬送波の（再−）選択をトリガリングするための条件として使用し得る。しかし、他の類型のトリガリング条件は、送信搬送波の（再−）選択のために実現され得る。
【００１７】
無線通信システムにおいて送信搬送波の選択のための新しい類型のトリガリング条件を可能にする実現が本願に開示される。本開示における一部の実現によれば、ＴＸ搬送波の（再−）選択のための新しいトリガリング条件が実現される。例えば、（ｉ）上位層が第１のＶ２Ｘサービスのために多数の搬送波を構成し、前記ＭＡＣエンティティがこれら多数の構成された搬送波の中から搬送波を選択しても、及び（ｉｉ）第２のＶ２Ｘサービスの新しいデータが現在選択された搬送波と関連していない論理チャネルで利用可能であれば、新しいトリガリング条件が実現され得、そうすると、ＴＸ搬送波の（再−）選択がトリガーされ、前記第２のＶ２Ｘサービスのための新しい搬送波が選択され得る。
【００１８】
３ＧＰＰ（３ｒｄ  ｇｅｎｅｒａｔｉｏｎ  ｐａｒｔｎｅｒｓｈｉｐ  ｐｒｏｊｅｃｔ）  ＬＴＥ（ｌｏｎｇ−ｔｅｒｍ  ｅｖｏｌｕｔｉｏｎ）は、高速パケット通信を可能なように設計された技術である。また、ＩＴＵ（ｉｎｔｅｒｎａｔｉｏｎａｌ  ｔｅｌｅｃｏｍｍｕｎｉｃａｔｉｏｎ  Ｕｎｉｏｎ）及び３ＧＰＰは、新しい無線（ＮＲ；ｎｅｗ  ｒａｄｉｏ）システムに対する技術標準を開発してきた。これを介して、新しい無線アクセス技術（ＲＡＴ；ｒａｄｉｏ  ａｃｃｅｓｓ  ｔｅｃｈｎｏｌｏｇｙ）を成功的に標準化し、ＩＴＵ−Ｒ（ＩＴＵ  ｒａｄｉｏ  ｃｏｍｍｕｎｉｃａｔｉｏｎ  ｓｅｃｔｏｒ）  ＩＭＴ（ｉｎｔｅｒｎａｔｉｏｎａｌ  ｍｏｂｉｌｅ  ｔｅｌｅｃｏｍｍｕｎｉｃａｔｉｏｎ）−２０２０のプロセスで規定した長期目標及び要求事項だけでなく、緊急な市場の要求を適時に満たすための技術を識別して開発している。一部のシナリオにおいて、ＮＲは最小１００ＧＨｚまでのスペクトル帯域を使用するように設計されており、はるかに遠い未来にも無線通信に使用し得る。
【００１９】
例えば、前記ＮＲは、向上したモバイル広帯域（ｅＭＢＢ；ｅｎｈａｎｃｅｄ  ｍｏｂｉｌｅ  ｂｒｏａｄｂａｎｄ）、大規模マシンタイプ通信（ｍＭＴＣ；ｍａｓｓｉｖｅ  ｍａｃｈｉｎｅ−ｔｙｐｅ  ｃｏｍｍｕｎｉｃａｔｉｏｎ）、超高信頼度及び低遅延通信（ＵＲＬＬＣ；ｕｌｔｒａ−ｒｅｌｉａｂｌｅ  ａｎｄ  ｌｏｗ  ｌａｔｅｎｃｙ  ｃｏｍｍｕｎｉｃａｔｉｏｎｓ）のような様々な使用シナリオ、要求事項、並びに配布シナリオを取り扱う技術のフレームワークを対象とする。
【００２０】
一部のシステムにおいて、下記に述べられた一つ以上の技術特徴は、３ＧＰＰ標準化機構による通信標準、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）による通信標準等により使用される一つ以上の技術的な標準と互換し得る。例えば、前記３ＧＰＰ標準化機構による通信標準は、ＬＴＥ及び／又はＬＴＥシステムの進化を含む。ＬＴＥシステムの進化は、ＬＴＥ−Ａｄｖａｎｃｅｄ（ＬＴＥ−Ａ）、ＬＴＥ−Ａ  Ｐｒｏ及び／又は５Ｇ  ＮＲ（ｎｅｗ  ｒａｄｉｏ）を含む。ＩＥＥＥ標準化機構による通信標準は、ＩＥＥＥ  ８０２．１１ａ／ｂ／ｇ／ｎ／ａｃ／ａｘのようなＷＬＡＮ（ｗｉｒｅｌｅｓｓ  ｌｏｃａｌ  ａｒｅａ  ｎｅｔｗｏｒｋ）システムを含む。前記システムは、ダウンリンク（ＤＬ；ｄｏｗｎｌｉｎｋ）及び／又はアップリンク（ＵＬ；ｕｐｌｉｎｋ）のためのＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）及び／又はＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）のような様々な多重アクセス技術を使用する。例えば、ＤＬにはＯＦＤＭＡのみが使用され得、ＵＬにはＳＣ−ＦＤＭＡのみが使用され得る。代案として、ＯＦＤＭＡ及びＳＣ−ＦＤＭＡは、ＤＬ及び／又はＵＬに使用され得る。
【００２１】
本願で「／」及び「、」という用語は、「及び／又は」を表すように解釈されるべきである。例えば、表現「Ａ／Ｂ」は、「Ａ及び／又はＢ」を意味し得る。また、「Ａ、Ｂ」は、「Ａ及び／又はＢ」を意味し得る。さらに、「Ａ／Ｂ／Ｃ」は、「Ａ、Ｂ、及び／又はＣのうち少なくとも一つ」を意味し得る。また、「Ａ、Ｂ、Ｃ」は、「Ａ、Ｂ及び／又はＣの一つ以上」を意味し得る。
【００２２】
図１は、本開示の技術的特徴が適用できる無線通信システムの例を示す。一部のシナリオにおいて、図１のシステムは、Ｅ−ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）と互換し得る。ＬＴＥは、前記Ｅ−ＵＴＲＡＮを使用する進化したＵＭＴＳ（ｅｖｏｌｖｅｄ−ＵＴＭＳ）の一部であり得る。
【００２３】
図１を参照すると、前記無線通信システムは、一つ以上のＵＥ１０、Ｅ−ＵＴＲＡＮ、及びＥＰＣ（ｅｖｏｌｖｅｄ  ｐａｃｋｅｔ  ｃｏｒｅ）を含む。一例として、前記ＵＥ１０は、ユーザにより運ばれる通信装備であり得る。前記ＵＥ１０は、固定的であってもよく、動いてもよい。前記ＵＥ１０は、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、無線装置（ｗｉｒｅｌｅｓｓ  ｄｅｖｉｃｅ）等のような様々な用語と称してもよい。
【００２４】
前記Ｅ−ＵＴＲＡＮは、ＢＳ２０のような一つ以上の基地局を含む。前記ＢＳ２０は、前記Ｅ−ＵＴＲＡのユーザ平面及び制御平面のプロトコル終了をＵＥ１０に提供する。一部の実現において、前記ＢＳ２０は、ＵＥ１０と通信する固定ステーションであってもよい。例えば、ＢＳ２０は、セル間無線資源管理（ｉｎｔｅｒ−ｃｅｌｌ  ｒａｄｉｏ  ｒｅｓｏｕｒｃｅ  ｍａｎａｇｅｍｅｎｔ）、無線ベアラ（ｒａｄｉｏ  ｂｅａｒｅｒ）（ＲＢ）制御、接続移動性制御（ｃｏｎｎｅｃｔｉｏｎ  ｍｏｂｉｌｉｔｙ  ｃｏｎｔｒｏｌ）、無線承認制御（ｒａｄｉｏ  ａｄｍｉｓｓｉｏｎ  ｃｏｎｔｒｏｌ）、測定の構成／供給（ｍｅａｓｕｒｅｍｅｎｔ  ｃｏｎｆｉｇｕｒａｔｉｏｎ／ｐｒｏｖｉｓｉｏｎ）、動的資源割り当て（ｄｙｎａｍｉｃ  ｒｅｓｏｕｒｃｅ  ａｌｌｏｃａｔｉｏｎ）（スケジューラ）のような様々な機能をホスト（ｈｏｓｔ）し得る。前記ＢＳは、進化したＮｏｄｅＢ（ｅＮＢ；ｅｖｏｌｖｅｄ  ＮｏｄｅＢ）、ベース送受信機システム（ＢＴＳ；ｂａｓｅ  ｔｒａｎｓｃｅｉｖｅｒ  ｓｙｓｔｅｍ）、アクセスポイント（ＡＰ；ａｃｃｅｓｓ  ｐｏｉｎｔ）等のような様々な用語を使用して称してもよい。
【００２５】
ダウンリンクは、ＢＳ２０からＵＥ１０への通信を示す。アップリンクは、ＵＥ１０からＢＳ２０への通信を示す。サイドリンク（ＳＬ；ｓｉｄｅｌｉｎｋ）は、ＵＥ１０間の通信を示す。前記ＤＬで、送信機はＢＳ２０の一部であってもよく、受信機はＵＥ１０の一部であってもよい。前記ＵＬで、前記送信機はＵＥ１０の一部であってもよく、前記受信機はＢＳ２０の一部であってもよい。前記ＳＬで、前記送信機及び受信機は、ＵＥ１０の一部であってもよい。
【００２６】
前記ＥＰＣは、ＭＭＥ（ｍｏｂｉｌｉｔｙ  ｍａｎａｇｅｍｅｎｔ  ｅｎｔｉｔｙ）、Ｓ−ＧＷ（ｓｅｒｖｉｎｇ  ｇａｔｅｗａｙ）、及びＰ−ＧＷ（ＰＤＮ（ｐａｃｋｅｔ  ｄａｔａ  ｎｅｔｗｏｒｋ）  ｇａｔｅｗａｙ）を含む。例えば、前記ＭＭＥは、ＮＡＳ（ｎｏｎ−ａｃｃｅｓｓ  ｓｔｒａｔｕｍ）保安、アイドル状態移動性処理（ｉｄｌｅ  ｓｔａｔｅ  ｍｏｂｉｌｉｔｙ  ｈａｎｄｌｉｎｇ）、ＥＰＳ（ｅｖｏｌｖｅｄ  ｐａｃｋｅｔ  ｓｙｓｔｅｍ）ベアラ制御（ｂｅａｒｅｒ  ｃｏｎｔｒｏｌ）等のような様々な機能をホストする。例えば、前記Ｓ−ＧＷは、移動性固定（ｍｏｂｉｌｉｔｙ  ａｎｃｈｏｒｉｎｇ）等のような様々な機能をホストする。前記Ｓ−ＧＷは、Ｅ−ＵＴＲＡＮを終端点（ｅｎｄｐｏｉｎｔ）として有するゲートウェイである。便宜上、本明細書では、ＭＭＥ／Ｓ−ＧＷ３０は、簡単に「ゲートウェイ」と称するが、このエンティティは、前記ＭＭＥ及びＳ−ＧＷをいずれも含むものと理解される。例えば、前記Ｐ−ＧＷは、ＵＥのインターネットプロトコル（ＩＰ）アドレスの割り当て、パケットフィルタリング（ｐａｃｋｅｔ  ｆｉｌｔｅｒｉｎｇ）等のような様々な機能をホストする。前記Ｐ−ＧＷはＰＤＮを終端点として有するゲートウェイである。前記Ｐ−ＧＷが外部のネットワークに連結されている。
【００２７】
前記ＵＥ１０は、Ｕｕインターフェースのようなインターフェースにより前記ＢＳ２０に連結される。前記ＵＥ１０は、ＰＣ５インターフェースのようなインターフェースにより互いに連結される。前記ＢＳ２０は、Ｘ２インターフェースのようなインターフェースにより互いに連結される。また、前記ＢＳ２０は、Ｓ１インターフェースによりＥＰＣに連結され、より具体的に、Ｓ１−ＭＭＥインターフェースにより前記ＭＭＥに連結されてもよく、Ｓ１−Ｕインターフェースにより前記Ｓ−ＧＷに連結されてもよい。一部の実現において、前記Ｓ１インターフェースは、前記ＭＭＥ、前記Ｓ−ＧＷ、及び前記ＢＳ間の多−対−多の関係（ｍａｎｙ−ｔｏ−ｍａｎｙ  ｒｅｌａｔｉｏｎ）をサポートする。
【００２８】
図２は、本開示の技術的特徴が適用できる無線通信システムの別の例を示す。具体的に、図２は、５Ｇ  ＮＲシステムに基づくシステム構造を示す。前記５Ｇ  ＮＲシステム（以下、簡単に「ＮＲ」と称する）で使用されるエンティティは、図１に導入されたエンティティの機能のうちの一部又は全部を実現し得る（例えば、前記ｅＮＢ、ＭＭＥ、Ｓ−ＧＷ）。前記ＮＲシステムで使用されるエンティティは、「ＮＧ」という名称で識別され得る。
【００２９】
図２を参照すると、前記無線通信システムは、一つ以上のＵＥ１１、ＮＧ− ＲＡＮ （ｎｅｘｔ−ｇｅｎｅｒａｔｉｏｎ  ＲＡＮ）、及び５世代コアネットワーク（５ＧＣ）を含む。前記ＮＧ−ＲＡＮは、一つ以上のＮＧ−ＲＡＮノードを含む。例えば、前記ＮＧ−ＲＡＮノードは、図１に示すＢＳ２０に対応するエンティティであり得る。前記ＮＧ−ＲＡＮノードは、少なくとも一つのｇＮＢ２１及び／又は少なくとも一つのｎｇ−ｅＮＢ２２を含む。前記ｇＮＢ２１は、ＮＲのユーザ平面及び制御平面のプロトコル終了を前記ＵＥ１１に提供する。前記ｎｇ−ｅＮＢ２２は、Ｅ−ＵＴＲＡのユーザ平面及び制御平面のプロトコル終了を前記ＵＥ１１に提供する。
【００３０】
前記５ＧＣは、ＡＭＦ（ａｃｃｅｓｓ  ａｎｄ  ｍｏｂｉｌｉｔｙ  ｍａｎａｇｅｍｅｎｔ  ｆｕｎｃｔｉｏｎ）、ＵＰＦ（ｕｓｅｒ  ｐｌａｎｅ  ｆｕｎｃｔｉｏｎ）、及びＳＭＦ（ｓｅｓｓｉｏｎ  ｍａｎａｇｅｍｅｎｔ  ｆｕｎｃｔｉｏｎ）を含む。例えば、前記ＡＭＦは、ＮＡＳ保安（ＮＡＳ  ｓｅｃｕｒｉｔｙ）、アイドル状態移動性処理等のような様々な機能をホストする。例えば、前記ＡＭＦは、ＮＡＳ保安、アイドル状態移動性処理、ＥＰＳベアラ制御等のような様々な機能をホストする。例えば、前記ＵＰＦは、移動性固定、ＰＤＵ（ｐｒｏｔｏｃｏｌ  ｄａｔａ  ｕｎｉｔ）処理のような様々な機能をホストする。例えば、前記ＵＰＦは、移動性固定等のような様々な機能をホストする。例えば、前記ＳＭＦは、ＵＥのＩＰアドレスの割り当て（ａｄｄｒｅｓｓ  ａｌｌｏｃａｔｉｏｎ）、ＰＤＵのセッション制御（ｓｅｓｓｉｏｎ  ｃｏｎｔｒｏｌ）等のような様々な機能をホストする。
【００３１】
前記ｇＮＢ及び前記ｎｇ−ｅＮＢは、Ｘｎインターフェースのようなインターフェースにより互いに連結される。前記ｇＮＢ及びｎｇ−ｅＮＢは、ＮＧインターフェースにより前記５ＧＣに連結され、例えば、ＮＧ−Ｃインターフェースにより前記ＡＭＦに連結され、そして前記ＮＧ−Ｕインターフェースにより前記ＵＰＦに連結される。
【００３２】
前述したネットワークエンティティ間のプロトコル構造の例が説明される。図１及び／又は図２の例で、前記ＵＥと前記ネットワーク（例えば、ＮＧ−ＲＡＮ及び／又はＥ−ＵＴＲＡＮ）間の無線インターフェースプロトコルの層は、例えば、開放型システム相互接続（ＯＳＩ；ｏｐｅｎ  ｓｙｓｔｅｍ  ｉｎｔｅｒｃｏｎｎｅｃｔｉｏｎ）モデルの下位３層に基づき、第１の層（Ｌ１）、第２の層（Ｌ２）、及び第３の層（Ｌ３）に分類できる。
【００３３】
図３は、本開示の技術的特徴が適用できるユーザ平面プロトコルスタック（ｕｓｅｒ  ｐｌａｎｅ  ｐｒｏｔｏｃｏｌ  ｓｔａｃｋ）の例のブロック図を示す。図４は、本開示の技術的特徴が適用できる制御平面プロトコルスタック（ｃｏｎｔｒｏｌ  ｐｌａｎｅ  ｐｒｏｔｏｃｏｌ  ｓｔａｃｋ）の例のブロック図を示す。
【００３４】
図３及び図４の例を参照すると、物理（ＰＨＹ）層はＬ１に属する。前記ＰＨＹ層は、ＭＡＣ（ｍｅｄｉａ  ａｃｃｅｓｓ  ｃｏｎｔｒｏｌ）のサブ層及び上位層に情報送信サービス（ｉｎｆｏｒｍａｔｉｏｎ  ｔｒａｎｓｆｅｒ  ｓｅｒｖｉｃｅ）を提供する。例えば、ＰＨＹ層は、送信チャネルをＭＡＣサブ層に提供し、ＭＡＣのサブ層とＰＨＹ層との間のデータは、送信チャネルを介して送信される。異なるＰＨＹ層の間、例えば、送信側のＰＨＹ層と受信側のＰＨＹ層との間で、データは物理チャネルを介して送信される。
【００３５】
前記ＭＡＣのサブ層はＬ２に属する。例えば、前記ＭＡＣのサブ層のサービスと機能は、論理チャネルと送信チャネルとの間のマッピング、送信チャネル上の物理層に／から運ばれる送信ブロック（ＴＢ；ｔｒａｎｓｐｏｒｔ  ｂｌｏｃｋ）に／から一つ又は他の論理チャネルに属するＭＡＣ  ＳＤＵ（ｓｅｒｖｉｃｅ  ｄａｔａ  ｕｎｉｔ）の多重化（ｍｕｌｔｉｐｌｅｘｉｎｇ）／逆−多重化（ｄｅ−ｍｕｌｔｉｐｌｅｘｉｎｇ）、スケジューリング情報の報告（ｓｃｈｅｄｕｌｉｎｇ  ｉｎｆｏｒｍａｔｉｏｎ  ｒｅｐｏｒｔｉｎｇ）、ＨＡＲＱ（ｈｙｂｒｉｄ  ａｕｔｏｍａｔｉｃ  ｒｅｐｅａｔ  ｒｅｑｕｅｓｔ）を介したエラーの修正、動的スケジューリングによるＵＥ間の優先順位の処理、論理チャネルの優先順位指定（ＬＣＰ；ｌｏｇｉｃａｌ  ｃｈａｎｎｅｌ  ｐｒｉｏｒｉｔｉｚａｔｉｏｎ）による一つのＵＥの論理チャネル間の優先順位処理等を含む。前記ＭＡＣのサブ層は、ＲＬＣ（ｒａｄｉｏ  ｌｉｎｋ  ｃｏｎｔｒｏｌ）のサブ層に論理チャネルを提供する。
【００３６】
前記ＲＬＣのサブ層はＬ２に属する。一部の実現において、前記ＲＬＣのサブ層は、互いに異なる送信モード、即ち、透明モード（ＴＭ；ｔｒａｎｓｐａｒｅｎｔ  ｍｏｄｅ）、未確認モード（ＵＭ；ｕｎａｃｋｎｏｗｌｅｄｇｅｄ  ｍｏｄｅ）、及び確認モード（ＡＭ；ａｃｋｎｏｗｌｅｄｇｅｄ  ｍｏｄｅ）をサポートする。前記互いに異なる送信モードは、ラジオベアラによって要求される様々なＱｏＳ（ｑｕａｌｉｔｙ  ｏｆ  ｓｅｒｖｉｃｅ）を保証するのに役立つことがある。前記ＲＬＣのサブ層のサービスと機能は、前記送信モードに依存し得る。例えば、一部の実現において、前記ＲＬＣのサブ層は、３つの送信モード全てに対して、上位層のＰＤＵの送信を提供するが、ＡＭに対してのみＡＲＱを介してエラーの修正を提供する。ＬＴＥ／ＬＴＥ−Ａと互換する実現のような一部の実現において、前記ＲＬＣのサブ層は、ＲＬＣ  ＳＤＵの連結（ｃｏｎｃａｔｅｎａｔｉｏｎ）、分割化（ｓｅｇｍｅｎｔａｔｉｏｎ）、及び再組立て（ｒｅａｓｓｅｍｂｌｙ）（ＵＭ及びＡＭのデータ送信に対してのみ）、ＲＬＣデータＰＤＵの再−分割化（ｒｅ−ｓｅｇｍｅｎｔａｔｉｏｎ）（ＡＭのデータ送信に対してのみ）を提供する。ＮＲにおいて、前記ＲＬＣのサブ層は、ＲＬＣ  ＳＤＵの分割化（ＡＭ及びＵＭに対してのみ）と、再−分割化（ＡＭに対してのみ）と、ＳＤＵの再組立て（ＡＭ及びＵＭに対してのみ）を提供する。一部の実現において、前記ＮＲは、ＲＬＣ  ＳＤＵの連結をサポートしない。前記ＲＬＣのサブ層は、ＰＤＣＰ（ｐａｃｋｅｔ  ｄａｔａ  ｃｏｎｖｅｒｇｅｎｃｅ  ｐｒｏｔｏｃｏｌ）のサブ層にＲＬＣチャネルを提供する。
【００３７】
前記ＰＤＣＰのサブ層はＬ２に属する。例えば、前記ユーザ平面に対する前記ＰＤＣＰのサブ層のサービスと機能は、ヘッダー圧縮（ｈｅａｄｅｒ  ｃｏｍｐｒｅｓｓｉｏｎ）及び圧縮解除（ｄｅｃｏｍｐｒｅｓｓｉｏｎ）、ユーザデータの送信、重複検出（ｄｕｐｌｉｃａｔｅ  ｄｅｔｅｃｔｉｏｎ）、ＰＤＣＰ  ＰＤＵのルーティング（ｒｏｕｔｉｎｇ）、ＰＤＣＰ  ＳＤＵの再送信（ｒｅｔｒａｎｓｍｉｓｓｉｏｎ）、暗号化（ｃｉｐｈｅｒｉｎｇ）、及び解読（ｄｅｃｉｐｈｅｒｉｎｇ）等を含む。例えば、前記制御平面に対する前記ＰＤＣＰのサブ層のサービスと機能は、暗号化及び整合性保護（ｉｎｔｅｇｒｉｔｙ  ｐｒｏｔｅｃｔｉｏｎ）、制御平面データの送信等を含む。
【００３８】
ＳＤＡＰ（ｓｅｒｖｉｃｅ  ｄａｔａ  ａｄａｐｔａｔｉｏｎ  ｐｒｏｔｏｃｏｌ）のサブ層はＬ２に属する。一部の実現において、前記ＳＤＡＰのサブ層はユーザ平面でのみ定義される。例えば、ＳＤＡＰのサービスと機能は、ＱｏＳフロー（ＱｏＳ  ｆｌｏｗ）とデータ無線ベアラ（ＤＲＢ；ｄａｔａ  ｒａｄｉｏ  ｂｅａｒｅｒ）との間のマッピング、並びに、ＤＬ及びＵＬパケット全てでＱＦＩ（ＱｏＳ  ｆｌｏｗ  ＩＤ）をマーキングすることを含む。前記ＳＤＡＰのサブ層は、ＱｏＳフローを５ＧＣに提供する。
【００３９】
ＲＲＣ（ｒａｄｉｏ  ｒｅｓｏｕｒｃｅ  ｃｏｎｔｒｏｌ）層はＬ３に属する。一部の実現において、前記ＲＲＣ層は制御平面でのみ定義される。前記ＲＲＣ層は、前記ＵＥと前記ネットワーク間の無線資源を制御する。例えば、前記ＲＲＣ層は、前記ＵＥとＢＳ間のＲＲＣメッセージを交換する。例えば、前記ＲＲＣ層のサービスと機能は、ＡＳ（ｎｏｎ−ａｃｃｅｓｓ  ｓｔｒａｔｕｍ）及びＮＡＳ（ｎｏｎ−ａｃｃｅｓｓ  ｓｔｒａｔｕｍ）に関するシステム情報の放送、ページング（ｐａｇｉｎｇ）、前記ＵＥとネットワーク間のＲＲＣ接続の設定（ｅｓｔａｂｌｉｓｈｍｅｎｔ）、メンテナンス（ｍａｉｎｔｅｎａｎｃｅ）、及び解除（ｒｅｌｅａｓｅ）、キーの管理を含む保安機能、無線ベアラの設定、構成、メンテナンス及び解除、移動性機能、ＱｏＳ管理機能、ＵＥ測定報告及び前記報告制御、並びにＮＡＳに／からＵＥに／からのＮＡＳメッセージの送信を含む。
【００４０】
このように、一部の実現において、前記ＲＲＣ層は、無線ベアラの構成、再構成、及び解除に関する論理チャネル、送信チャネル、及び物理チャネルを制御する。無線ベアラは、ＵＥとネットワーク間のデータ送信のために、Ｌ１（ＰＨＹ層）及びＬ２（ＭＡＣ／ＲＬＣ／ＰＤＣＰ／ＳＤＡＰのサブ層）に提供される論理経路（ｌｏｇｉｃａｌ  ｐａｔｈ）を意味する。一部のシナリオにおいて、無線ベアラを設定することは、無線プロトコル層の特性及び特定のサービスを提供するためのチャネルを定義すること、並びにそれぞれの特定のパラメータ及び動作方法を設定することを含み得る。前記無線ベアラは、ＳＲＢ（ＳＲＢ；ｓｉｇｎａｌｉｎｇ  ＲＢ）及びＤＲＢ（ｄａｔａ  ＲＢ）を含み得る。前記ＳＲＢは、前記制御平面でＲＲＣメッセージを送信するための経路として使用され、前記ＤＲＢは、前記ユーザ平面でユーザデータを送信するための経路として使用される。
【００４１】
ＲＲＣの状態は、前記ＵＥのＲＲＣ層が前記Ｅ−ＵＴＲＡＮのＲＲＣ層に論理的に連結されているか否かを示す。ＬＴＥ／ＬＴＥ−Ａと互換可能な実現のような一部の実現において、前記ＵＥのＲＲＣ層と前記Ｅ−ＵＴＲＡＮのＲＲＣ層との間に前記ＲＲＣ連結が確立される際、前記ＵＥはＲＲＣ連結状態（ＲＲＣ＿ＣＯＮＮＥＣＴＥＤ）にある。そうでなければ、前記ＵＥはＲＲＣアイドル状態（ＲＲＣ＿ＩＤＬＥ）にある。ＮＲと互換する実現において、ＲＲＣ非活性状態（ＲＲＣ＿ＩＮＡＣＴＩＶＥ）がさらに導入される。前記ＲＲＣ＿ＩＮＡＣＴＩＶＥ状態は、様々な目的に使用され得る。例えば、一部のシナリオにおいて、ＭＭＴＣ  ＵＥは、前記ＲＲＣ＿ＩＮＡＣＴＩＶＥで効率的に管理され得る。特定の条件が満たされると、前記三つの状態のうちの一つから他の状態に切り替えられる。
【００４２】
ＲＲＣの状態に応じて、様々な動作が実行され得る。例えば、前記ＲＲＣ＿ＩＤＬＥで、ＰＬＭＮ（ｐｕｂｌｉｃ  ｌａｎｄ  ｍｏｂｉｌｅ  ｎｅｔｗｏｒｋ）選択、システム情報（ＳＩ；ｓｙｓｔｅｍ  ｉｎｆｏｒｍａｔｉｏｎ）の放送、セル再選択移動性（ｃｅｌｌ  ｒｅ−ｓｅｌｅｃｔｉｏｎ  ｍｏｂｉｌｉｔｙ）、コアネットワーク（ＣＮ）ページング、及びＮＡＳにより構成されるＤＲＸ（ｄｉｓｃｏｎｔｉｎｕｏｕｓ  ｒｅｃｅｐｔｉｏｎ）のような動作が実行され得る。前記ＵＥは、トラッキング領域（ｔｒａｃｋｉｎｇ  ａｒｅａ）で前記ＵＥを固有に識別する識別子（ＩＤ）を割り当てられる。一部の実現において、ＲＲＣコンテキスト（ｃｏｎｔｅｘｔ）は、前記基地局に保存されない。
【００４３】
別の例として、前記ＲＲＣ＿ＣＯＮＮＥＣＴＥＤで、前記ＵＥはネットワーク（即ち、Ｅ−ＵＴＲＡＮ／ＮＧ−ＲＡＮ）とのＲＲＣ連結を有する。ＵＥに対するネットワークＣＮ連結（Ｃ／Ｕ平面いずれも）も設定される。一部の実現において、前記ＵＥ  ＡＳコンテキストは、前記ネットワーク及び前記ＵＥに保存される。前記ＲＡＮは、前記ＵＥが属するセルを知っており、前記ネットワークは、ＵＥとデータを送受信できる。一部の実現において、測定を含むネットワーク制御移動性（ｎｅｔｗｏｒｋ  ｃｏｎｔｒｏｌｌｅｄ  ｍｏｂｉｌｉｔｙ）がやはり行われる。
【００４４】
前記ＲＲＣ＿ＩＤＬＥで行われる一つ以上の動作は、前記ＲＲＣ＿ＩＮＡＣＴＩＶＥでも行われ得る。しかし、一部の実現において、前記ＲＲＣ＿ＩＤＬＥのように、ＣＮページングを行う代わりに、ＲＲＣ＿ＩＮＡＣＴＩＶＥでＲＡＮページングが行われ得る。例えば、前記ＲＲＣ＿ＩＤＬＥにおいて、ＭＴ（ｍｏｂｉｌｅ  ｔｅｒｍｉｎａｔｅｄ）データに対するページングは、コアネットワークにより始まり、ページング領域は前記コアネットワークにより管理される。前記ＲＲＣ＿ＩＮＡＣＴＩＶＥにおいて、ページングはＮＧ−ＲＡＮにより開始され得、ＲＡＮベース通知領域（ＲＮＡ；ＲＡＮ−ｂａｓｅｄ  ｎｏｔｉｆｉｃａｔｉｏｎ  ａｒｅａ）は、ＮＧ−ＲＡＮにより管理される。また、一部の実現において、ＲＲＣ＿ＩＤＬＥでＮＡＳにより構成されたＣＮページングに対するＤＲＸの代わりに、ＲＡＮページングに対するＤＲＸが前記ＲＲＣ＿ＩＮＡＣＴＩＶＥでＮＧ−ＲＡＮにより構成される。一部の実現において、前記ＲＲＣ＿ＩＮＡＣＴＩＶＥにおいて、５ＧＣ−ＮＧ−ＲＡＮ連結（Ｃ／Ｕ平面）は、ＵＥに対して設定され、ＵＥ  ＡＳコンテキストは、ＮＧ−ＲＡＮ及び前記ＵＥに保存される。前記ＮＧ−ＲＡＮは、ＵＥの属するＲＮＡが分かる。
【００４５】
前記ＮＡＳ層は、図４の例に示すように、前記ＲＲＣ層の上に実現される。例えば、前記ＮＡＳの制御プロトコルは、認証、移動性管理、保安制御などのような様々な機能を行う。
【００４６】
例えば、前記ＰＨＹ層により利用される物理チャネルは、無線資源として時間及び周波数を利用して様々な変調技術に従って変調され得る。例えば、前記物理チャネルは、時間領域で複数のＯＦＤＭシンボル、及び周波数領域で複数の副搬送波を含み得る。前記時間領域で複数のＯＦＤＭシンボルで構成されたサブフレームが実現され得る。資源ブロック（ｒｅｓｏｕｒｃｅ  ｂｌｏｃｋ）は、資源割り当ての単位として実現され得、各資源ブロックは、複数のＯＦＤＭシンボルと複数の副搬送波で構成され得る。また、それぞれのサブフレームは、該当サブフレームの特定のＯＦＤＭシンボル（例えば、第１のＯＦＤＭシンボル）の特定の副搬送波を、ＰＤＣＣＨ（ｐｈｙｓｉｃａｌ  ｄｏｗｎｌｉｎｋ  ｃｏｎｔｒｏｌ  ｃｈａｎｎｅｌ）（例えば、Ｌ１／Ｌ２の制御チャネル）のような特定の目的のために使用し得る。例えば、ＴＴＩ（ｔｒａｎｓｍｉｓｓｉｏｎ  ｔｉｍｅ  ｉｎｔｅｒｖａｌ））は、資源割り当てのためにスケジューラによって使用される基本時間単位として実現され得る。前記ＴＴＩは、一つ又は複数のスロット単位で定義されてもよく、ミニスロット単位で定義されてもよい。
【００４７】
送信チャネルは、無線インターフェースを介して、どのように、そしてどんな特性のデータが送信されるかに応じて分類され得る。例えば、ＤＬ送信チャネルは、システム情報を送信するのに使用されるＢＣＨ（ｂｒｏａｄｃａｓｔ  ｃｈａｎｎｅｌ）、ユーザトラフィック又は制御信号を送信するのに使用されるＤＬ−ＳＣＨ（ｄｏｗｎｌｉｎｋ  ｓｈａｒｅｄ  ｃｈａｎｎｅｌ）、及びＵＥをページングするのに使用されるＰＣＨ（ｐａｇｉｎｇ  ｃｈａｎｎｅｌ）を含む。別の例として、ＵＬ送信チャネルは、ユーザトラフィック又は制御信号を送信するためのＵＬ−ＳＣＨ（ｕｐｌｉｎｋ  ｓｈａｒｅｄ  ｃｈａｎｎｅｌ）、及びセルに初期アクセスに一般に使用されるＲＡＣＨ（ｒａｎｄｏｍ  ａｃｃｅｓｓ  ｃｈａｎｎｅｌ）を含む。
【００４８】
前記ＭＡＣのサブ層は、様々な種類のデータ送信サービスを提供することができる。送信される情報の類型に応じて、異なる論理チャネルの類型が定義され得る。一部の実現において、論理チャネルは、制御チャネルとトラフィックチャネルの二つのグループに分類できる。
【００４９】
一部の実現によると、前記制御チャネルは、制御平面情報の送信のためにのみ使用される。例えば、前記制御チャネルは、ＢＣＣＨ（ｂｒｏａｄｃａｓｔ  ｃｏｎｔｒｏｌ  ｃｈａｎｎｅｌ）、ＰＣＣＨ（ｐａｇｉｎｇ  ｃｏｎｔｒｏｌ  ｃｈａｎｎｅｌ）、ＣＣＣＨ（ｃｏｍｍｏｎ  ｃｏｎｔｒｏｌ  ｃｈａｎｎｅｌ）、及びＤＣＣＨ（ｄｅｄｉｃａｔｅｄ  ｃｏｎｔｒｏｌ  ｃｈａｎｎｅｌ）を含み得る。前記ＢＣＣＨは、放送システムの制御情報のためのＤＬチャネルである。前記ＰＣＣＨは、ページング情報、システム情報変更の通知を送信するＤＬチャネルである。前記ＣＣＣＨは、ＵＥとネットワークとの間で制御情報を送信するためのチャネルである。一部の実現において、前記ＣＣＣＨは、ネットワークとＲＲＣ連結のないＵＥに使用される。前記ＤＣＣＨは、ＵＥとネットワークとの間で専用の制御情報を送信する点−対−点の両方向チャネルである。一部の実現において、前記ＤＣＣＨは、ＲＲＣ連結を有するＵＥにより使用される。
【００５０】
一部の実現によると、トラフィックチャネルは、ユーザ平面情報の送信にのみ使用される。例えば、前記トラフィックチャネルはＤＴＣＨ（ｄｅｄｉｃａｔｅｄ  ｔｒａｆｆｉｃ  ｃｈａｎｎｅｌ）を含む。前記ＤＴＣＨは、ユーザ情報の送信のための一つのＵＥ専用の点−対−点のチャネルである。一部の実現において、前記ＤＴＣＨはＵＬ及びＤＬの両方に存在することができる。
【００５１】
一部のシナリオにおいて、前記論理チャネルと送信チャネルとの間にマッピングが実現され得る。例えば、ＤＬにおいて、ＢＣＣＨはＢＣＨにマッピングされることができ、ＢＣＣＨはＤＬ−ＳＣＨにマッピングされることができ、ＰＣＣＨはＰＣＨにマッピングされることができ、ＣＣＣＨはＤＬ−ＳＣＨにマッピングされることができ、ＤＣＣＨはＤＬ−ＳＣＨにマッピングされることができ、ＤＴＣＨはＤＬ−ＳＣＨにマッピングされることができる。別の例として、ＵＬにおいて、ＣＣＣＨはＵＬ−ＳＣＨにマッピングされることができ、ＤＣＣＨはＵＬ−ＳＣＨにマッピングされることができ、ＤＴＣＨはＵＬ−ＳＣＨにマッピングされることができる。
【００５２】
次に、サイドリンク通信の例が説明される。このような技術は、Ｖ２Ｘのサイドリンク通信の特定様相を含み得るが、これに制限されない。Ｖ２Ｘ通信（Ｖ２Ｘのサイドリンク通信）シナリオにおけるサイドリンク通信は、より一般的なサイドリンク通信の説明後、以下でさらに提供される。
【００５３】
一部の実現において、以下に説明されるサイドリンク通信の例は、３ＧＰＰ  ＴＳ  ３６．３００  Ｖ１５．０．０（２０１７−１２）、セッション２３．１０に準拠することがある。一部のシナリオにおいて、サイドリンク通信は、一般にサイドリンク通信、Ｖ２Ｘのサイドリンク通信、及びサイドリンク発見のためのＵＥ対ＵＥのインターフェースを含む。一部の実現において、前記サイドリンクは、前記ＰＣ５インターフェースに対応する。サイドリンクの送信は、ＵＥ間のサイドリンク発見、サイドリンク通信、及びＶ２Ｘのサイドリンク通信のために定義され得る。一部の実現において、サイドリンクの送信は、ＵＥがネットワークのカバレッジにある際、ＵＬ及びＤＬに対して定義されたフレーム構造と同一のフレーム構造を使用する。しかし、一部のシナリオにおいて、前記サイドリンクの送信は、時間及び周波数ドメインでＵＬ資源のサブセットに制限され得る。様々な物理チャネル、送信チャネル、及び論理チャネルが実現され、サイドリンクの送信に利用され得る。
【００５４】
一部の実現において、サイドリンク通信は、ＵＥが前記ＰＣ５インターフェースを介して互いに直接通信できる通信モードである。この通信モードは、前記ＵＥがＥ−ＵＴＲＡＮによりサービングされる際、かつ前記ＵＥがＥ−ＵＴＲＡのカバレッジ外にある際にサポートされる。一部のシナリオにおいて、公共安全の運営に使用するように許可されたＵＥのみがサイドリンク通信を行うことができる。「Ｖ２Ｘ」接頭辞のない「サイドリンク通信」という用語は、特に言及しない限り、公共安全にのみ関連する。
【００５５】
カバレッジを外れた動作に対する同期化を行うために、前記ＵＥはＳＢＣＣＨ（ｓｉｄｅｌｉｎｋ  ｂｒｏａｄｃａｓｔ  ｃｏｎｔｒｏｌ  ｃｈａｎｎｅｌ）及び同期化信号を送信することによって、同期化ソースとして作用することがある。一部のシナリオにおいて、前記ＳＢＣＣＨは、他のサイドリンクチャネル及び信号を受信するのに必要な最も重要なシステム情報を伝達する。一部の実現において、同期化信号と共に前記ＳＢＣＣＨは４０ｍｓの固定周期で送信される。前記ＵＥがネットワークカバレッジにある際、前記ＳＢＣＣＨのコンテンツは、前記ＢＳによりシグナリングされたパラメータから導出され得る。前記ＵＥがカバレッジを外れた場合、前記ＵＥが他のＵＥを同期化参照として選択すると、前記ＳＢＣＣＨのコンテンツは受信されたＳＢＣＣＨから導出され得る。
【００５６】
そうでなければ、一部の実現において、前記ＵＥは事前構成されたパラメータを使用する。例えば、ＳＩＢ１８は、同期化信号及びＳＢＣＣＨ送信のための資源情報を提供する。一部のシナリオにおいては、カバレッジを外れた作動のために、４０ｍｓ毎に二つの事前構成されたサブフレームがある。前記ＵＥが基準に基づいて同期化ソースになると、前記ＵＥは一つのサブフレームで同期化信号及びＳＢＣＣＨを受信し、他のサブフレームで同期化信号及びＳＢＣＣＨを送信することができる。
【００５７】
一部の実現において、前記ＵＥは、サイドリンク制御（ＳＣ；ｓｉｄｅｌｉｎｋ  ｃｏｎｔｒｏｌ）期間に定義されたサブフレーム上でサイドリンク通信を行う。前記ＳＣ期間は、サイドリンク制御情報（ＳＣＩ；ｓｉｄｅｌｉｎｋ  ｃｏｎｔｒｏｌ  ｉｎｆｏｒｍａｔｉｏｎ）及びサイドリンクのデータ送信のためにセルに割り当てられた資源が発生する期間である。前記ＳＣ期間内に、前記ＵＥはＳＣＩを送信してからサイドリンクデータを送信する。前記ＳＣＩは、層１のＩＤ及び送信特性（例えば、ＭＣＳ（ｍｏｄｕｌａｔｉｏｎ  ａｎｄ  ｃｏｄｉｎｇ  ｓｃｈｅｍｅ）、ＳＣ期間での資源の位置、タイミングの整列）を示す。
【００５８】
一部の実現において、前記ＵＥは、サイドリンク発見のギャップが構成されていない場合、次の減少する優先順位の順でＵｕ及びＰＣ５を介して送信及び受信を行う：
【００５９】
−  Ｕｕの送信／受信（最も高い優先順位）；
【００６０】
−  ＰＣ５のサイドリンク通信の送受信；
【００６１】
−  ＰＣ５のサイドリンク発見の通知／モニタリング（最も低い優先順位）。
【００６２】
一部の実現において、前記ＵＥは、サイドリンク発見のギャップが構成される場合、次の減少する優先順位の順でＵｕ及びＰＣ５を介して送信及び受信を行う：
【００６３】
−  ＲＡＣＨのためのＵｕの送信／受信；
【００６４】
−  送信のためのサイドリンク発見のギャップの間にＰＣ５のサイドリンク発見の公表；
【００６５】
−  非−ＲＡＣＨ（Ｎｏｎ−ＲＡＣＨ）Ｕｕの送信；
【００６６】
−  受信のためのサイドリンク発見のギャップの間にＰＣ５のサイドリンク発見のモニタリング；
【００６７】
−  非ＲＡＣＨ  Ｕｕの受信；
【００６８】
−  ＰＣ５のサイドリンク通信の送受信。
【００６９】
一部の実現において、サイドリンク通信を支援するＵＥは、資源割り当てのための２つのモードで動作することができる。第１のモードは、スケジューリングされた資源割り当て（ｓｃｈｅｄｕｌｅｄ  ｒｅｓｏｕｒｃｅ  ａｌｌｏｃａｔｉｏｎ）モードであり、これは、サイドリンク通信の資源割り当てのために、「モード１」と称してもよい。前記モード１において、データを送信するためには、前記ＵＥがＲＲＣ＿ＣＯＮＮＥＣＴＥＤでなければならない。前記ＵＥはＢＳから送信資源を要請し、前記ＢＳはサイドリンク制御情報及びサイドリンクデータの送信のために送信資源をスケジューリングする。前記ＵＥは、スケジューリング要請（例えば、専用のスケジューリング要請（Ｄ−ＳＲ；ｄｅｄｉｃａｔｅｄ  ｓｃｈｅｄｕｌｉｎｇ  ｒｅｑｕｅｓｔ）又はランダムアクセス）を前記ＢＳに送信した後、サイドリンクのＢＳＲ（ｂｕｆｆｅｒ  ｓｔａｔｕｓ  ｒｅｐｏｒｔ）を送信する。サイドリンクのＢＳＲに基づき、前記ＢＳは、ＵＥがサイドリンク通信の送信のためのデータを有していると決定し得、送信に必要な資源を推定し得る。それから、前記ＢＳは構成されたサイドリンクのＲＮＴＩ（ｒａｄｉｏ  ｎｅｔｗｏｒｋ  ｔｅｍｐｏｒａｒｙ  ｉｄｅｎｔｉｔｙ）を使用し、サイドリンク通信のための送信資源をスケジューリングし得る。従って、このようなシナリオにおいて、前記ＲＲＣ＿ＣＯＮＮＥＣＴＥＤの状態にあり、サイドリンク通信を行うＵＥは、サイドリンクのＵＥ情報のメッセージをＢＳに送信し得る。これに応答し、前記ＢＳはＳＬ−ＲＮＴＩでＵＥを構成することができる。
【００７０】
サイドリンク通信のための資源割り当ての第２のモードは、ＵＥの自律資源選択（ａｕｔｏｎｏｍｏｕｓ  ｒｅｓｏｕｒｃｅ  ｓｅｌｅｃｔｉｏｎ）モードであり、これは、サイドリンク通信の資源割り当てのために、「モード２」と称してもよい。前記モード２において、ＵＥは一つ以上の資源プール（ｒｅｓｏｕｒｃｅ  ｐｏｏｌ）から資源を選択し、サイドリンク制御情報及びデータを送信するために、送信フォーマットの選択を行う。一部のシナリオにおいて、カバレッジ外の動作のために、事前構成されるか、カバレッジ内の動作のためのＲＲＣシグナリングにより提供される最大８つの送信資源プールがあり得る。それぞれの資源プールは、それに関する一つ以上の優先順位レベル（例えば、一つ以上のＰＰＰＰ（ＰｒｏＳｅ  ｐｅｒ−ｐａｃｋｅｔ  ｐｒｉｏｒｉｔｙ））を有し得る。一例として、ＭＡＣ  ＰＤＵの送信のために、前記ＵＥは、関連するＰＰＰＰのうちの一つが前記ＭＡＣ  ＰＤＵで識別された論理チャネルの中からＰＰＰＰが最も高い論理チャネルのＰＰＰＰと同一の送信プールを選択する。一部の実現において、ＵＥが同一である関連するＰＰＰＰを有する多数のプールの中からどのように資源プールを選択するかは、ＵＥの実現次第である。サイドリンクの制御プールとサイドリンクのデータプールとの間には、一対一の連結がある。前記資源プールが選択されると、一部のシナリオにおいて、全ＳＣ期間で選択が有効である。前記ＳＣ期間が完了した後、前記ＵＥは資源プールの選択を再実行し得る。前記ＵＥは単一のＳＣ期間で異なる目的地（ｄｅｓｔｉｎａｔｉｏｎ）への多重送信を行うことができる。
【００７１】
前記一般的なサイドリンク通信の様々な例を提供したことに続いて、Ｖ２Ｘ通信（Ｖ２Ｘのサイドリンク通信）のシナリオでサイドリンク通信の一部例が説明される。
【００７２】
一部の実現において、以下に説明されるＶ２Ｘのサイドリンク通信技術は、３ＧＰＰ  ＴＳ  ３６．３００  Ｖ１５．１．０（２０１８−０３）、例えば、セッション２３．１４に準拠していることがある。一般に、Ｖ２Ｘサービスは、Ｖ２Ｖ（ｖｅｈｉｃｌｅ−ｔｏ−ｖｅｈｉｃｌｅ）サービス、Ｖ２Ｉ（ｖｅｈｉｃｌｅ−ｔｏ−ｉｎｆｒａｓｔｒｕｃｔｕｒｅ）サービス、Ｖ２Ｎ（ｖｅｈｉｃｌｅ−ｔｏ−ｎｏｍａｄｉｃ）サービス、及びＶ２Ｐ（ｖｅｈｉｃｌｅ−ｔｏ−ｐｅｄｅｓｔｒｉａｎ）サービスのような様々な類型で構成され得る。
【００７３】
Ｖ２Ｘサービスは、一部の実現に従って、ＰＣ５インターフェース及び／又はＵｕインターフェースにより提供され得る。ＰＣ５インターフェースを介したＶ２Ｘサービスのサポートは、ＵＥがＰＣ５インターフェースを介して互いに直接通信する通信モードであるＶ２Ｘのサイドリンク通信により提供される。この通信モードは、前記ＵＥがＥ−ＵＴＲＡＮによりサービングされる際、かつ前記ＵＥがＥ−ＵＴＲＡのカバレッジ外にある際にサポートされる。一部の実現において、Ｖ２Ｘサービスに対して認証されたＵＥのみがＶ２Ｘのサイドリンク通信を行い得る。
【００７４】
Ｖ２Ｘのサイドリンク通信は、ユーザ平面のプロトコル及びサイドリンク通信のための機能を実現して利用し得る。また、Ｖ２Ｘのサイドリンク通信の一部実現によれば：
【００７５】
−  サイドリンク通信のためのＳＴＣＨ（ｓｉｄｅｌｉｎｋ  ｔｒａｆｆｉｃ  ｃｈａｎｎｅｌ）は、Ｖ２Ｘのサイドリンク通信にも使用される。
【００７６】
−  非Ｖ２Ｘ（例：公共安全関連）データは、Ｖ２Ｘのサイドリンク通信のために構成された資源で送信されたＶ２Ｘデータと多重化されない。
【００７７】
−  ＡＳは上位層によりＰＣ５インターフェースを介して送信されるプロトコルデータユニットの前記ＰＰＰＰを備える。前記プロトコルデータユニットのＰＤＢ（ｐａｃｋｅｔ  ｄｅｌａｙ  ｂｕｄｇｅｔ）は、前記ＰＰＰＰから決定されることができる。低いＰＤＢは高い優先順位のＰＰＰＰ値にマッピングされる。
【００７８】
−  ＰＰＰＰベースの既存の論理チャネルの優先順位の指定は、Ｖ２Ｘのサイドリンク通信に使用される。
【００７９】
サイドリンク通信のためのＳＢＣＣＨ用制御平面のプロトコルスタックは、Ｖ２Ｘのサイドリンク通信にも使用される。
【００８０】
Ｖ２Ｘのサイドリンク通信をサポートするＵＥは、一部の実現で資源割り当てのための２つのモードで動作することができる。第１のモードは、スケジューリングされた資源割り当てであり、これは、Ｖ２Ｘのサイドリンク通信の資源割り当てのために、「モード３」と称してもよい。モード３において、データを送信するためには、ＵＥがＲＲＣ＿ＣＯＮＮＥＣＴＥＤでなければならない。前記ＵＥはＢＳから送信資源を要請し、前記ＢＳはサイドリンク制御情報及びデータの送信のために、送信資源をスケジューリングする。サイドリンクの半永久的スケジューリング（ＳＰＳ；ｓｅｍｉ−ｐｅｒｓｉｓｔｅｎｔ  ｓｃｈｅｄｕｌｉｎｇ）は、モード３でサポートされる。
【００８１】
Ｖ２Ｘのサイドリンク通信のための資源割り当ての第２のモードは、ＵＥの自律資源選択であり、これは、Ｖ２Ｘのサイドリンク通信の資源割り当てのために「モード４」と称してもよい。前記モード４において、前記ＵＥは一つ以上の資源プールから資源を選択し、サイドリンク制御情報及びデータを送信するために送信フォーマットの選択を行う。ゾーン（ｚｏｎｅ）とＶ２Ｘのサイドリンク送信の資源プール間のマッピングが構成されたシナリオで、前記ＵＥは、前記ＵＥが位置したその領域に基づいて、Ｖ２Ｘのサイドリンクの資源プールを選択する。前記ＵＥは、サイドリンク資源の選択（又は再選択）のための感知を行い得る。前記感知の結果に基づき、前記ＵＥは特定のサイドリンク資源を選択（又は再選択）し得、多数のサイドリンク資源を予約し得る。一部のシナリオにおいて、最大２つの並列独立的資源予約プロセス（ｐａｒａｌｌｅｌ  ｉｎｄｅｐｅｎｄｅｎｔ  ｒｅｓｏｕｒｃｅ  ｒｅｓｅｒｖａｔｉｏｎ  ｐｒｏｃｅｓｓ）が前記ＵＥにより行われ得る。前記ＵＥはまた、Ｖ２Ｘのサイドリンク送信に対する単一資源の選択を行うことができる。
【００８２】
ＲＲＣ＿ＣＯＮＮＥＣＴＥＤ  ＵＥは、サイドリンク資源を要請するために、Ｖ２Ｘのサイドリンク通信の送信に関心があれば、サイドリンクのＵＥ情報のメッセージをサービングセルに送信し得る。
【００８３】
前記ＵＥがＶ２Ｘのサイドリンク通信を受信するように上位層により構成され、Ｖ２Ｘのサイドリンク受信の資源プールが提供される場合、前記ＵＥは提供された資源上で受信を行う。
【００８４】
一部のシナリオにおいて、異なる搬送波／ＰＬＭＮでサイドリンクのＶ２Ｘ通信の受信は、ＵＥに多数の受信機チェーンを有することによってサポートされることができる。
【００８５】
チャネルの利用を制御するために、一部の実現によると、前記ネットワークは、チャネルでの混雑度、例えば、ＣＢＲ（ｃｈａｎｎｅｌ  ｂｕｓｙ  ｒａｔｉｏ）に応じてＵＥがそれぞれの送信プールに対する送信パラメータをどのように適応させるかを示すことができる。前記ＵＥは、例外プール（ｅｘｃｅｐｔｉｏｎａｌ  ｐｏｏｌ）を含めて構成された全ての送信プールを測定し得る。ＵＥが常時隣接の資源ブロックでＰＳＣＣＨ（ｐｈｙｓｉｃａｌ  ｓｉｄｅｌｉｎｋ  ｃｏｎｔｒｏｌ  ｃｈａｎｎｅｌ）及びＰＳＳＣＨ（ｐｈｙｓｉｃａｌ  ｓｉｄｅｌｉｎｋ  ｓｈａｒｅｄ  ｃｈａｎｎｅｌ）を送信するようにプールが（予め）構成されていれば、前記ＵＥはＰＳＣＣＨ及びＰＳＳＣＨ資源を共に測定する。ＵＥがサブフレームで非隣接の資源ブロックにＰＳＣＣＨ及び対応するＰＳＳＣＨを送信できるように、プールが（予め）構成されれば、ＰＳＳＣＨプール及びＰＳＣＣＨプールは個別的に測定される。
【００８６】
ＲＲＣ＿ＣＯＮＮＥＣＴＥＤのＵＥは、ＣＢＲ測定の結果を報告するように構成され得る。ＣＢＲ報告の場合、定期的報告及びイベントトリガー報告がサポートされる。一部の実現において、イベントトリガーＣＢＲ報告のために、２つの類型の報告イベントが利用され得る。一つの類型の報告イベントとして、ＰＳＳＣＨ及びＰＳＣＣＨ資源が隣接していないシナリオでは、イベントトリガーＣＢＲ報告にＰＳＳＣＨプールの測定のみが使用される。別の類型の報告イベントとして、ＰＳＳＣＨ及びＰＳＣＣＨ資源が隣接して配置されるシナリオでは、ＰＳＳＣＨ及びＰＳＣＣＨ資源のＣＢＲ測定は、イベントトリガーＣＢＲ報告に使用される。一部の実現において、イベントトリガーＣＢＲ報告は、オーバーロードされた臨界値及び／又は少なくロードされた臨界値によりトリガーされる。前記ネットワークは、前記ＵＥがどの送信プールを報告すべきであるか構成し得る。
【００８７】
一部の実現において、（ＲＲＣ状態に関係なく）ＵＥは測定されたＣＢＲに基づいて送信パラメータ適応を行う。ＰＳＳＣＨ及びＰＳＣＣＨ資源が隣接していないシナリオにおいては、送信の媒介変数の適応のために、ＰＳＳＣＨプールの測定のみが使用される。ＰＳＳＣＨ及びＰＳＣＣＨ資源が隣接して配置されるシナリオにおいては、ＰＳＳＣＨ及びＰＳＣＣＨ資源のＣＢＲ測定は、送信パラメータ適応のために使用される。ＣＢＲ測定を使用することができない場合には、基本送信パラメータ（ｄｅｆａｕｌｔ  ｔｒａｎｓｍｉｓｓｉｏｎ  ｐａｒａｍｅｔｅｒ）を使用してもよい。適応された送信パラメータの例は、最大の送信電力、ＴＢ当たりの再送信数の範囲、ＰＳＳＣＨ  ＲＢ数の範囲、ＭＣＳの範囲、及びチャネル占有率（ｃｈａｎｎｅｌ  ｏｃｃｕｐａｎｃｙ  ｒａｔｉｏ）に対する最大の制限を含む。送信パラメータ適応は、例外的プールを含む全ての送信プールに適用され得る。
【００８８】
スケジューリングされた資源割り当て及びＵＥの自律的資源の選択全てのために、異なる周波数に対する例外的なプールを含むサイドリンク送信及び／又は受信資源が提供され得る。異なる周波数に対するサイドリンク資源は、専用のシグナリング、ＳＩＢ２１及び／又は事前構成を介して提供され得る。サービングセルは、前記ＵＥがサイドリンク資源の構成を獲得することができる周波数のみをＵＥに表し得る。多数の周波数及び関連の資源情報が提供される場合、一部の実現に従って提供された周波数の中から周波数を選択することは、ＵＥの実現次第である。一部のシナリオにおいて、Ｖ２Ｘのサイドリンク通信のための資源構成、又は搬送波間の資源構成を提供するセルをＵＥが検出すると、前記ＵＥは予め構成された送信資源を使用してはならない。Ｖ２Ｘのサイドリンク通信の資源構成又は交差搬送波の構成を提供することができる周波数が事前構成され得る。前記ＲＲＣ＿ＩＤＬＥ  ＵＥは、セルの再選択の間に他の搬送波に対するＶ２Ｘのサイドリンク通信のための資源構成を提供する周波数を優先順位化し得る。
【００８９】
ＵＥが多数の送信チェーンをサポートすると、前記ＵＥは、前記ＰＣ５インターフェースを介して多数の搬送波を介して同時に送信し得る。Ｖ２Ｘに対する多重周波数がサポートされるシナリオにおいて、Ｖ２Ｘのサービス類型とＶ２Ｘの周波数間のマッピングは、上位層で構成される。一部の実現において、前記ＵＥは、Ｖ２Ｘのサービスが対応の周波数上で送信されるように保証すべきである。モード３について、前記ＢＳはサイドリンクのＢＳＲに基づいて周波数に対するＶ２Ｘ送信をスケジューリングし得、ここで、前記ＵＥは、サイドリンクのＵＥ情報メッセージでＵＥによりＢＳに報告された周波数と固有に関連した目的地インデックス（ｄｅｓｔｉｎａｔｉｏｎ  ｉｎｄｅｘ）を含む。
【００９０】
一部の実現において、Ｖ２Ｘ通信はまた、送信（ＴＸ）搬送波の選択、論理チャネルの優先順位の指定、パケット複製等のような特徴を実現し得る。以下、Ｖ２Ｘ通信のために、送信搬送波の選択、論理チャネルの優先順位の指定、パケット複製等が考慮される際、本開示の実現に従って、本開示の様々な様相が説明される。
【００９１】
実現１
【００９２】
ＴＸ搬送波の（再−）選択の条件には、サイドリンク資源の再選択条件が使用され得る。例として、ＴＸ搬送波の（再−）選択は、次のような条件に応じて、自律的にトリガーされ得る：即ち、（ｉ）ＳＬ＿ＲＥＳＯＵＲＣＥ＿ＲＥＳＥＬＥＣＴＩＯＮ＿ＣＯＵＮＴＥＲ＝０であり、ＳＬ＿ＲＥＳＯＵＲＣＥ＿ＲＥＳＥＬＥＣＴＩＯＮ＿ＣＯＵＮＴＥＲが１であったとき、前記ＭＡＣエンティティが無作為に選択した間隔［０，１］内の値が上位層により構成された確率であるｐｒｏｂＲｅｓｏｕｒｃｅＫｅｅｐより高いか、（ｉｉ）最後の数秒の間に構成されたサイドリンクグラントに表された所定の資源上で、ＭＡＣエンティティにより送信又は再送信が行われていない場合、又は（ｉｉｉ）ｓｌ−ＲｅｓｅｌｅｃｔＡｆｔｅｒが構成され、構成されたサイドリンクグラントに表された資源上で、連続する未使用の送信機会の数がｓｌ−ＲｅｓｅｌｅｃｔＡｆｔｅｒと同一である場合、又は（ｉｖ）構成されたサイドリンクグラントがない場合、又は（ｖ）前記構成されたサイドリンクグラントが上位層により構成された最大許容のＭＣＳであるｍａｘＭＣＳ−ＰＳＳＣＨを使用してＲＬＣ  ＳＤＵを受け入れることができず、前記ＭＡＣエンティティが前記ＲＬＣ  ＳＤＵを分割しないように選択する場合、又は（ｖｉ）構成されたサイドリンクグラントの送信が、関連するＰＰＰＰに応じてサイドリンクの論理チャネルでデータの遅延要求事項（ｌａｔｅｎｃｙ  ｒｅｑｕｉｒｅｍｅｎｔ）を満たすことができず、前記ＭＡＣエンティティが単一のＭＡＣ  ＰＤＵに対応する送信を行わないように選択する場合、又は（ｖｉｉ）資源のプールが上位層により構成されるか、再構成される場合である。
【００９３】
しかし、一部のシナリオにおいて、サイドリンク資源の再選択のための条件は、多数の搬送波のシナリオ、及び多数のサービスのシナリオを充分にカバーできないことがある。例えば、前記ＭＡＣエンティティは、上位層（例えば、ＲＲＣ層）により多数の搬送波上で一つ又は多数の資源プールを使用して送信するように構成され得、このような多数の搬送波の中からＴＸ搬送波の選択を行い得る。この場合、選択された搬送波と関連のない論理チャネルで新しいデータを利用することができる場合、ＴＸ搬送波の選択がトリガーされない恐れがある。
【００９４】
特定の例として、上位層が第１のＶ２Ｘのサービスのために多数の搬送波を構成し、前記ＭＡＣエンティティがこれら多数の構成された搬送波の中から特定の搬送波を選択するシナリオを考慮する。第２のＶ２Ｘのサービスに対する新しいデータが選択された特定の搬送波と関連のない論理チャネルで使用可能である場合、多数の搬送波が既に上位層により構成されているため、前記ＭＡＣエンティティが前記第２のＶ２Ｘのサービスのために、ＴＸ搬送波の（再−）選択をトリガーすることができないという恐れがあり得る。このような問題を解決するために、本開示の一部の実現によれば、サイドリンクのプロセスと関連したＳＴＣＨのために許容されたいずれの搬送波上でも構成されたグラントがない場合、ＴＸ搬送波の選択が行われるべきである。
【００９５】
図５は、本開示の実現によるＴＸ搬送波の（再−）選択をトリガリングする例を示す。この例によると、新しいトリガリング条件がＴＸ搬送波の（再−）選択のために実現され得る。
【００９６】
段階Ｓ５００において、前記ＵＥは多数のＭＡＣ  ＰＤＵの送信に対応する構成されたサイドリンクグラントを生成するように選択する。段階Ｓ５１０において、一つ又は多数の搬送波と関連したＳＴＣＨでデータが利用可能であり、一つ以上の多数の搬送波のうち、ＳＴＣＨのために許容されたいずれの搬送波上でも構成されたサイドリンクグラントがない場合、前記ＵＥはＴＸ搬送波の（再−）選択手続をトリガーする。
【００９７】
例えば、前記技術は、ＵＥのＭＡＣエンティティにより行われ得る。ＭＡＣエンティティは、感知、又は部分感知、又はランダム選択に基づいて、一つ又は多数の搬送波で資源のプールを使用して送信するように上位層により構成され得る。例えば、前記上位層は、前記ＵＥのＲＲＣ層であり得る。
【００９８】
前記ＳＴＣＨで利用可能なデータが一つ又は多数の搬送波と関連し、前記ＳＴＣＨに対して許容されたいずれの搬送波上でも構成されたサイドリンクグラントがないシナリオにおいて、これは、前記ＳＴＣＨで利用可能なデータが一つ又は多数の搬送波の中から、現在選択された搬送波と関連していないことを示し得る。前記ＳＴＣＨと一つ又は多数の搬送波間の関連は、ネットワークにより構成されるか、又は予め構成され得る。前記ＳＴＣＨは、前記ＳＴＣＨのＣＢＲ及び／又はＰＰＰＰに基づいて、一つ又は多数の搬送波のうち少なくとも一つの搬送波で送信され得る。
【００９９】
このように、図５の例によると、ＴＸ搬送波の（再−）選択のための新しいトリガリング条件が実現され得る。特定の例として、上位層が第１のＶ２Ｘのサービスのために多数の搬送波を構成し、前記ＭＡＣエンティティがこれら多数の搬送波の中から特定の搬送波を選択するシナリオを考慮する。前記ＭＡＣエンティティにより選択された特定の搬送波と関連していない論理チャネルで第２のＶ２Ｘのサービスのための新しいデータが利用可能であれば、ＴＸ搬送波の（再−）選択がトリガーされ、前記第２のＶ２Ｘのサービスのための新しい搬送波が選択され得る。
【０１００】
このような実現の例として、Ｖ２Ｘのサイドリンク通信のためのＴＸ搬送波の（再−）選択は、次のように行われ得る。次の例で、それぞれの論理チャネルは、それぞれの搬送波にマッピングされるか、搬送波とサービスとの間にマッピングされ得ると仮定する。論理チャネルと搬送波間のマッピングは、ネットワークにより構成されるか、予め構成され得る。例えば、一部の実現において、前記マッピングは、一つ以上の３ＧＰＰ技術標準に準拠することがあり、例えば、Ｒｅｌ−１４のＣＢＲ−ＰＰＰＰテーブル（例えば、ＳＬ−ＣＢＲ−ＰＰＰＰ−ＴｘＣｏｎｆｉｇＬｉｓｔ）により構成され得る。このような制限で、ＵＥにおいて、所定の論理チャネルは、その論理チャネルのＣＢＲ及びＰＰＰＰに基づいて、制限された搬送波で送信され得る。例えば、搬送波とサービスとの間のマッピングは、コアネットワーク及び上位層（例えば、Ｖ２Ｘ層）により構成され得、これは、ＡＳ層にマッピング情報を提供し得る。
【０１０１】
一部の実現において、ＭＡＣエンティティは次を満たし得る：
【０１０２】
１＞ＭＡＣエンティティが多数の搬送波上で資源の一つ又は多数の資源プールを使用して送信するように上位層により構成され、ＳＴＣＨでデータが利用可能である場合（例えば、初期のＴＸ搬送波の選択）；又は
【０１０３】
１＞ＭＡＣエンティティが多数の搬送波上で資源の一つ又は多数のプール（搬送波）を使用して送信するように上位層により構成され、データが現在選択された搬送波と関連していないＳＴＣＨで利用可能である場合（例えば、ＭＡＣエンティティが一つ又は多数のサービスにより多数の搬送波上の資源の一つ又は多数のプールを使用して送信するように上位層により構成され、データが現在使用される搬送波にマッピングされていない論理チャネルで利用可能である）；又は
【０１０４】
１＞ＭＡＣエンティティが多数の搬送波上で資源の一つ又は多数のプールを使用して送信するように上位層により構成され、新しいプールが新しい搬送波で構成される場合（即ち、以前に構成されていない搬送波）；
【０１０５】
２＞上位層により構成された各搬送波、及びデータが利用可能である各サイドリンクの論理チャネルに対して：
【０１０６】
３＞前記搬送波が前記サイドリンクの論理チャネルと関連し；ＣＢＲ測定の結果が利用可能である場合、下位層により測定された前記搬送波のＣＢＲが、又はＣＢＲ測定の結果が利用可能ではない場合、位層により構成された前記搬送波に対応するｄｅｆａｕｌｔＴｘＣｏｎｆｉｇＩｎｄｅｘが、前記サイドリンク論理チャネルの優先順位と関連したｔｈｒｅｓｈＥｎｔｅｒｉｎｇＣａｒｒｉｅｒより低い場合；
【０１０７】
４＞ＴＸ搬送波の（再−）選択に対する候補搬送波として前記搬送波を考慮する。
【０１０８】
１＞そうでなければ、ＭＡＣエンティティが多数の搬送波上で資源の一つ又は多数のプールを使用して送信するように上位層により構成され、前記ＴＸ搬送波の再選択が搬送波に対してトリガーされる場合（即ち、ＴＸ搬送波の再選択）：
【０１０９】
２＞前記搬送波にマッピングされるデータが利用可能な各サイドリンクの論理チャネルに対して；
【０１１０】
３＞ＣＢＲ測定の結果が利用可能である場合、下位層により測定された前記搬送波のＣＢＲが、又はＣＢＲ測定の結果が利用可能ではない場合、上位層により構成された前記搬送波に対応するｄｅｆａｕｌｔＴｘＣｏｎｆｉｇＩｎｄｅｘが、サイドリンク論理チャネルの優先順位と関連したｔｈｒｅｓｈＥｎｔｅｒｉｎｇＣａｒｒｉｅｒより高い場合：
【０１１１】
４＞ＴＸ搬送波の（再−）選択に対する候補搬送波として前記搬送波を考慮する。
【０１１２】
３＞そうでなければ：
【０１１３】
４＞上位層により構成された各搬送波に対して、ＣＢＲ測定の結果が利用可能である場合、下位層により測定された前記搬送波のＣＢＲが、又はＣＢＲ測定の結果が利用可能ではない場合、上位層により構成された前記搬送波に対応するｄｅｆａｕｌｔＴｘＣｏｎｆｉｇＩｎｄｅｘが、サイドリンク論理チャネルの優先順位と関連したｔｈｒｅｓｈＥｎｔｅｒｉｎｇＣａｒｒｉｅｒより低い場合；
【０１１４】
５＞ＴＸ搬送波の（再−）選択に対する候補搬送波として前記搬送波を考慮する。
【０１１５】
一部の実現に従って、ＭＡＣエンティティはまた、次を満たし得る：
【０１１６】
１＞一つ以上の搬送波がＴＸ搬送波用候補搬送波として考慮されれば：
【０１１７】
２＞ＣＢＲ測定の結果が利用可能である場合、下位層により測定されたＣＢＲに基づいて、又はＣＢＲ測定の結果を利用できない場合、前記上位層により構成される対応するｄｅｆａｕｌｔＴｘＣｏｎｆｉｇＩｎｄｅｘに基づいて、最低のＣＢＲからＣＢＲが増加する順で候補搬送波のうち一つ以上の搬送波、及び関連する資源プールを選択する。
【０１１８】
一部の実現において、前記ＵＥは、ＵＥ能力に基づいて、制限された数の資源プールを選択し得る。一部のシナリオにおいて、どれぐらいの搬送波を選択すべきであるかの観点で、ＵＥの実現次第である。前記例が続けられる。
【０１１９】
１＞そうでなければ、資源のうち一つのプールのみＴＸ搬送波の選択のための候補プールとみなされるか、資源のうち一つの資源プールのみ上位層により構成される場合：
【０１２０】
２＞搬送波と資源の関連するプールを選択する。
【０１２１】
本開示における実現の別の例として、Ｖ２Ｘのサイドリンク通信のためのサイドリンクグラントの選択及び／又はＴＸ搬送波の（再−）選択は、次のように行われ得る。
【０１２２】
Ｖ２Ｘのサイドリンク通信のために、サイドリンクグラントが次のように選択され得る。
【０１２３】
１＞ＭＡＣエンティティがＰＤＣＣＨで動的にサイドリンクグラントを受信するように構成され、ＳＴＣＨでデータが使用可能である場合、ＭＡＣエンティティは次を行う：
【０１２４】
２＞ＨＡＲＱの再送信回数及びＳＣＩ並びにＳＬ−ＳＣＨ（ｓｉｄｅｌｉｎｋ  ｓｈａｒｅｄ  ｃｈａｎｎｅｌ）の送信が発生するサブフレームセットを決定するために受信されたサイドリンクグラントを使用し；
【０１２５】
２＞前記受信されたサイドリンクグラントを構成されたサイドリンクグラントとして考慮する。
【０１２６】
１＞ＭＡＣエンティティがＳＬの半永久的スケジューリング（ＳＬ  ｓｅｍｉ−ｐｅｒｓｉｓｔｅｎｔ  ｓｃｈｅｄｕｌｉｎｇ）Ｖ２Ｘ−ＲＮＴＩ（Ｖ  ＲＮＴＩ）にアドレスされたＰＤＣＣＨに対するサイドリンクグラントを受信するように上位層により構成された場合、ＭＡＣエンティティは、各ＳＬ  ＳＰＳの構成に対して、次のように行う：
【０１２７】
２＞ＰＤＣＣＨのコンテンツがＳＰＳの活性化を示す場合：
【０１２８】
３＞ＨＡＲＱの再送信回数及びＳＣＩ並びにＳＬ−ＳＣＨの送信が発生するサブフレームセットを決定するために受信されたサイドリンクグラントを使用し；
【０１２９】
３＞受信されたサイドリンクグラントを構成されたサイドリンクグラントとして考慮し；
【０１３０】
２＞ＰＤＣＣＨのコンテンツがＳＰＳの解除を示す場合：
【０１３１】
３＞前記対応する構成されたサイドリンクグラントを消す；
【０１３２】
１＞上位層のみが多数のＭＡＣ  ＰＤＵの送信が許容されることを指示する場合、ＭＡＣエンティティが感知又は部分感知又は無作為選択に基づいて、一つ又は多数の搬送波で資源のプールを使用して送信するように上位層により構成された場合、かつＭＡＣエンティティが多数のＭＡＣ  ＰＤＵの送信に対応する構成されたサイドリンクグラントを生成するように選択し、一つ又は多数の搬送波と関連したＳＴＣＨでデータが利用可能である場合、ＭＡＣエンティティは多数の送信のために、構成された各サイドリンクのプロセスに対して、次のように行う：
【０１３３】
２＞前記サイドリンクのプロセスと関連したＳＴＣＨに対して許容されたいずれの構成された搬送波上でも構成されたサイドリンクグラントがない場合：
【０１３４】
３＞以下に指定されているように、ＴＸ搬送波の（再−）選択手続をトリガーし；
【０１３５】
２＞そうでなければ、前記サイドリンクのプロセスと関連した構成されたサイドリンクグラントがある場合：
【０１３６】
３＞ＳＬ＿ＲＥＳＯＵＲＣＥ＿ＲＥＳＥＬＥＣＴＩＯＮ＿ＣＯＵＮＴＥＲ＝０であり、ＳＬ＿ＲＥＳＯＵＲＣＥ＿ＲＥＳＥＬＥＣＴＩＯＮ＿ＣＯＵＮＴＥＲが１であったとき、ＭＡＣエンティティが無作為に選択した間隔［０，１］内の値が上位層により構成された確率であるｐｒｏｂＲｅｓｏｕｒｃｅＫｅｅｐより高いか；又は
【０１３７】
３＞最後の数秒の間に構成されたサイドリンクグラントに表された所定の資源上でＭＡＣエンティティにより送信又は再送信が行われないか；又は
【０１３８】
３＞ｓｌ−ＲｅｓｅｌｅｃｔＡｆｔｅｒが構成され、構成されたサイドリンクグラントに表された資源上で連続する未使用の送信機会の数がｓｌ−ＲｅｓｅｌｅｃｔＡｆｔｅｒと同一であるか；又は
【０１３９】
３＞前記ＳＴＣＨに対して許容された搬送波上に構成されたサイドリンクグラントのいずれにも、上位層により構成された最大許容のＭＣＳであるｍａｘＭＣＳ−ＰＳＳＣＨを使用してＲＬＣ  ＳＤＵを受け入れるために、このＴＴＩで使用可能な資源を有しておらず、ＭＡＣエンティティがＲＬＣ  ＳＤＵを分割しないように選択するか；又は
【０１４０】
３＞前記ＳＴＣＨに対して許容された搬送波上に構成されたサイドリンクグラントのいずれにも、関連したＰＰＰＰに従ってサイドリンクの論理チャネルでデータの遅延要求事項を満たすために、このＴＴＩで使用可能な資源を有しておらず、ＭＡＣエンティティが単一のＭＡＣ  ＰＤＵに対応する送信を行わないように選択するか；又は
【０１４１】
３＞サイドリンクのプロセスのためにサイドリンクグラントが構成された資源のプールが上位層により再構成された場合：
【０１４２】
４＞前記構成されたサイドリンクグラントを消し；
【０１４３】
４＞以下に規定しているように、ＴＸ搬送波の（再−）選択手続をトリガーし；
【０１４４】
２＞ＴＸ搬送波の（再−）選択手続が前記でトリガーされ、ＴＸ搬送波の（再−）選択で搬送波が（再−）選択されると、選択された搬送波で次が行われる：
【０１４５】
３＞上位層により構成されたｒｅｓｔｒｉｃｔＲｅｓｏｕｒｃｅＲｅｓｅｒｖａｔｉｏｎＰｅｒｉｏｄ内で許容された値のうち一つを選択し、１００に選択された値を掛けて資源予約間隔を設定し；
【０１４６】
３＞１００ｍｓ以上の資源予約間隔（ｒｅｓｏｕｒｃｅ  ｒｅｓｅｒｖａｔｉｏｎ  ｉｎｔｅｒｖａｌ）に対して間隔［５，１５］で、５０ｍｓの資源予約間隔に対して間隔［１０，３０］で、又は２０ｍｓの資源予約間隔に対して間隔［２５，７５］で、整数値を同じ確率で無作為に選択し、ＳＬ＿ＲＥＳＯＵＲＣＥ＿ＲＥＳＥＬＥＣＴＩＯＮ＿ＣＯＵＮＴＥＲを選択された値に設定し；
【０１４７】
３＞上位層により構成された許容された数字であるｐｓｓｃｈ−ＴｘＣｏｎｆｉｇＬｉｓｔに含まれたａｌｌｏｗｅｄＲｅｔｘＮｕｍｂｅｒＰＳＳＣＨでＨＡＲＱの再送信の数を選択し、上位層により構成されれば、ＣＢＲ及び前記選択された搬送波に許容されたサイドリンクの論理チャネルの最優先順位に対するｃｂｒ−ｐｓｓｃｈ−ＴｘＣｏｎｆｉｇＬｉｓｔで指示されたａｌｌｏｗｅｄＲｅｔｘＮｕｍｂｅｒＰＳＳＣＨと重なるＨＡＲＱの再送信の数を選択し、前記ＣＢＲは、ＣＢＲ測定の結果が使用可能であれば、下位層により測定され、前記ＣＢＲ測定の結果が使用可能でなければ、上位層により構成された対応するｄｅｆａｕｌｔＴｘＣｏｎｆｉｇＩｎｄｅｘであり；
【０１４８】
３＞上位層により構成されたｐｓｓｃｈ−ＴｘＣｏｎｆｉｇＬｉｓｔに含まれたｍｉｎＳｕｂｃｈａｎｎｅｌ−ＮｕｍｂｅｒＰＳＳＣＨとｍａｘＳｕｂｃｈａｎｎｅｌ−ＮｕｍｂｅｒＰＳＳＣＨとの間の範囲内で周波数資源の量を選択し、上位層により構成されれば、ＣＢＲ及び前記選択された搬送波に許容されたサイドリンクの論理チャネルの最優先順位に対するｃｂｒ−ｐｓｓｃｈ−ＴｘＣｏｎｆｉｇＬｉｓｔで指示されたｍｉｎＳｕｂｃｈａｎｎｅｌ−ＮｕｍｂｅｒＰＳＳＣＨとｍａｘＳｕｂｃｈａｎｎｅｌ−ＮｕｍｂｅｒＰＳＳＣＨと重なる範囲内で周波数資源の量を選択し、前記ＣＢＲは、ＣＢＲ測定の結果が使用可能であれば、下位層により測定され、前記ＣＢＲ測定の結果が使用可能でなければ、上位層により構成された対応するｄｅｆａｕｌｔＴｘＣｏｎｆｉｇＩｎｄｅｘであり；
【０１４９】
３＞無作為選択を基にする送信が上位層により構成されれば；
【０１５０】
４＞選択された周波数資源の量に応じて、資源プールから一つの送信機会に対する時間及び周波数資源を無作為に選択する。前記ランダム関数は、許容された選択のそれぞれが同じ確率で選択できるように行われるべきである。
【０１５１】
３＞そうでなければ：
【０１５２】
４＞選択された周波数資源の量に応じて、物理層により指示された資源から一つの送信機会に対する時間及び周波数資源を無作為に選択する。前記ランダム関数は、許容された選択のそれぞれが同じ確率で選択できるように行われるべきである；
【０１５３】
３＞ランダムに選択された資源を使用し、ＭＡＣ  ＰＤＵの送信機会の数に対応するＳＣＩ、及びＳＬ−ＳＣＨの送信機会に対する資源予約間隔により離隔された周期的資源のセットを選択し；
【０１５４】
３＞ＨＡＲＱの再送信の数が１と同一であり、より多くの送信機会に対して条件を満たす物理層により表された資源に残った可用資源があれば：
【０１５５】
４＞選択された周波数資源の量に応じて、利用可能な資源から一つの送信機会に対する時間及び周波数資源を無作為に選択する。前記ランダム関数は、許容された選択のそれぞれが同じ確率で選択できるように行われるべきである。
【０１５６】
４＞ランダムに選択された資源を使用し、ＭＡＣ  ＰＤＵの再送信機会の数に対応するＳＣＩ、及びＳＬ−ＳＣＨの他の送信機会に対する資源予約間隔により離隔された周期的資源のセットを選択し；
【０１５７】
４＞新しい送信機会として第１の送信機会セットを、再送信機会として他の送信機会セットを考慮し；
【０１５８】
４＞前記選択されたサイドリンクグラントとして新しい送信機会と再送信機会のセットを考慮する。
【０１５９】
３＞そうでなければ：
【０１６０】
４＞前記セットを前記選択されたサイドリンクグラントとして考慮し；
【０１６１】
３＞ＳＣＩとＳＬ−ＳＣＨの送信が発生するサブフレームのセットを決定するために、前記選択されたサイドリンクグラントを使用し；
【０１６２】
３＞前記選択されたサイドリンクグラントを構成されたサイドリンクグラントとして考慮し；
【０１６３】
２＞そうではない場合、ＳＬ＿ＲＥＳＯＵＲＣＥ＿ＲＥＳＥＬＥＣＴＩＯＮ＿ＣＯＵＮＴＥＲ＝０であり、ＳＬ＿ＲＥＳＯＵＲＣＥ＿ＲＥＳＥＬＥＣＴＩＯＮ＿ＣＯＵＮＴＥＲが１であったとき、ＭＡＣエンティティが無作為に選択した間隔［０，１］内の値が上位層により構成された確率であるｐｒｏｂＲｅｓｏｕｒｃｅＫｅｅｐより高ければ：
【０１６４】
３＞前記構成されたサイドリンクグラントを消し、利用可能であれば；
【０１６５】
３＞１００ｍｓ以上の資源予約間隔に対して間隔［５，１５］で、５０ｍｓの資源予約間隔に対して間隔［１０，３０］で、又は２０ｍｓの資源予約間隔に対して間隔［２５，７５］で、整数値を同じ確率で無作為に選択し、ＳＬ＿ＲＥＳＯＵＲＣＥ＿ＲＥＳＥＬＥＣＴＩＯＮ＿ＣＯＵＮＴＥＲを選択された値に設定し；
【０１６６】
３＞前記資源予約間隔を有し、ＭＡＣ  ＰＤＵの送信数に対して既に選択されたサイドリンクグラントを使用し、ＳＣＬとＳＬ−ＳＣＨの送信が発生するサブフレームのセットを決定し；
【０１６７】
３＞前記選択されたサイドリンクグラントを構成されたサイドリンクグラントとして考慮し；
【０１６８】
１＞そうではない場合、ＭＡＣエンティティが一つ又は多数の搬送波で資源のプールを使用して送信するように上位層により構成され、ＭＡＣエンティティは、単一のＭＡＣ  ＰＤＵの送信に対応して構成されたサイドリンクグラントを生成するように選択し、データは一つ又は多数の搬送波と関連したＳＴＣＨで利用可能である場合、ＭＡＣエンティティはサイドリンクのプロセスに対して次のように行うべきである：
【０１６９】
２＞以下に規定されているように、ＴＸ搬送波の（再−）選択手続をトリガーし；
【０１７０】
２＞前記搬送波がＴＸ搬送波の（再−）選択で（再−）選択されると、選択された搬送波に対して次が行われる：
【０１７１】
３＞上位層により構成された許容された数字であるｐｓｓｃｈ−ＴｘＣｏｎｆｉｇＬｉｓｔに含まれたａｌｌｏｗｅｄＲｅｔｘＮｕｍｂｅｒＰＳＳＣＨでＨＡＲＱの再送信数を選択し、上位層により構成されれば、ＣＢＲ及び前記選択された搬送波に許容されたサイドリンクの論理チャネルの最優先順位に対するｃｂｒ−ｐｓｓｃｈ−ＴｘＣｏｎｆｉｇＬｉｓｔで指示されたａｌｌｏｗｅｄＲｅｔｘＮｕｍｂｅｒＰＳＳＣＨと重なるＨＡＲＱの再送信数を選択し、前記ＣＢＲは、ＣＢＲ測定の結果が使用可能であれば、下位層により測定され、前記ＣＢＲ測定の結果が使用可能でなければ、上位層により構成された対応するｄｅｆａｕｌｔＴｘＣｏｎｆｉｇＩｎｄｅｘであり；
【０１７２】
３＞上位層により構成されたｐｓｓｃｈ−ＴｘＣｏｎｆｉｇＬｉｓｔに含まれたｍｉｎＳｕｂｃｈａｎｎｅｌ−ＮｕｍｂｅｒＰＳＳＣＨとｍａｘＳｕｂｃｈａｎｎｅｌ−ＮｕｍｂｅｒＰＳＳＣＨとの間の範囲内で周波数資源の量を選択し、上位層により構成されれば、ＣＢＲ及び前記選択された搬送波に許容されたサイドリンクの論理チャネルの最優先順位に対するｃｂｒ−ｐｓｓｃｈ−ＴｘＣｏｎｆｉｇＬｉｓｔで指示されたｍｉｎＳｕｂｃｈａｎｎｅｌ−ＮｕｍｂｅｒＰＳＳＣＨとｍａｘＳｕｂｃｈａｎｎｅｌ−ＮｕｍｂｅｒＰＳＳＣＨと重なる範囲内で周波数資源の量を選択し、前記ＣＢＲは、ＣＢＲ測定の結果が使用可能であれば、下位層により測定され、前記ＣＢＲ測定の結果が使用可能でなければ、上位層により構成された対応するｄｅｆａｕｌｔＴｘＣｏｎｆｉｇＩｎｄｅｘであり；
【０１７３】
３＞無作為選択を基にする送信が上位層により構成されれば；
【０１７４】
４＞選択された周波数資源の量に応じて、資源プールからＳＣＩ及びＳＬ−ＳＣＨの一つの送信機会に対する時間及び周波数資源を無作為に選択する。前記ランダム関数は、許容された選択のそれぞれが同じ確率で選択できるように行われるべきである；
【０１７５】
３＞そうでなければ：
【０１７６】
４＞選択された周波数資源の量に応じて、物理層により指示された資源からＳＣＩ及びＳＬ−ＳＣＨの一つの送信機会に対する時間及び周波数資源を無作為に選択する。前記ランダム関数は、許容された選択のそれぞれが同じ確率で選択できるように行われるべきである；
【０１７７】
３＞ＨＡＲＱの再送信数が１と同一であれば：
【０１７８】
４＞無作為選択を基にする送信が上位層により構成され、もう一度送信機会に対して条件を満たす可用資源があれば：
【０１７９】
４＞選択された周波数資源の量に応じて、利用可能な資源からＭＡＣ  ＰＤＵの付加的な送信に対応するＳＣＩ及びＳＬ−ＳＣＨの他の送信機会に対する時間及び周波数資源を無作為に選択する。前記ランダム関数は、許容された選択のそれぞれが同じ確率で選択できるように行われるべきである；
【０１８０】
４＞そうでなければ、感知又は部分感知を基にする送信が上位層により構成され、もう一度送信機会に対して条件を満たす物理層により指示された資源に残っている可用資源があれば：
【０１８１】
４＞選択された周波数資源の量に応じて、利用可能な資源からＭＡＣ  ＰＤＵの付加的な送信に対応するＳＣＩ及びＳＬ−ＳＣＨの他の送信機会に対する時間及び周波数資源を無作為に選択する。前記ランダム関数は、許容された選択のそれぞれが同じ確率で選択できるように行われるべきである。
【０１８２】
４＞新しい送信機会として、最初に来る送信機会を、再送信機会として後に来る送信機会を考慮し：
【０１８３】
４＞選択されたサイドリンクグラントとして前記２つの送信機会を考慮し；
【０１８４】
３＞そうでなければ：
【０１８５】
４＞前記選択されたサイドリンクグラントとして前記送信機会を考慮し；
【０１８６】
３＞前記選択されたサイドリンクグラントを使用し、前記ＳＣＩ及びＳＬ−ＳＣＨの送信が発生するサブフレームを決定し；
【０１８７】
３＞前記選択されたサイドリンクグラントを構成されたサイドリンクグラントとして考慮する。
【０１８８】
Ｖ２Ｘのサイドリンク通信に対して、一部の実現によれば、ＵＥは無作為に選択された時間及び周波数資源が遅延要求事項を満たすように保証し得る。
【０１８９】
例えば、いくつかの実現において、ＭＡＣエンティティは各サブフレームに対して次を行う：
【０１９０】
１＞このサブフレームに発生する各構成されたサイドリンクグラントに対して：
【０１９１】
２＞前記構成されたサイドリンクグラントと関連したサイドリンクのプロセスに対してＳＬ＿ＲＥＳＯＵＲＣＥ＿ＲＥＳＥＬＥＣＴＩＯＮ＿ＣＯＵＮＴＥＲ＝１であり、ＭＡＣエンティティが無作為に選択した間隔［０，１］内の値が上位層により構成された確率であるｐｒｏｂＲｅｓｏｕｒｃｅＫｅｅｐより高ければ：
【０１９２】
３＞前記構成されたサイドリンクグラントに対する資源予約間隔を０に設定し；
【０１９３】
２＞前記構成されたサイドリンクグラントがＳＣＩの送信に該当すれば：
【０１９４】
３＞ＵＥの自律資源選択でＶ２Ｘのサイドリンク通信に対して：
【０１９５】
３＞構成されていれば、ｐｓｓｃｈ−ＴｘＣｏｎｆｉｇＬｉｓｔに含まれたｍｉｎＭＣＳ−ＰＳＳＣＨとｍａｘＭＣＳ−ＰＳＳＣＨとの間の範囲内でＭＣＳを選択し、上位層により構成されれば、ＣＢＲ及びＭＡＣ  ＰＤＵでサイドリンクの論理チャネルの最優先順位に対するｃｂｒ−ｐｓｓｃｈ−ＴｘＣｏｎｆｉｇＬｉｓｔで指示されたｍｉｎＭＣＳ−ＰＳＳＣＨとｍａｘＭＣＳ−ＰＳＳＣＨと重なる範囲内でＭＣＳを選択し、前記ＣＢＲはＣＢＲ測定の結果が使用可能であれば、下位層により測定され、前記ＣＢＲ測定の結果が使用可能でなければ、上位層により構成された対応するｄｅｆａｕｌｔＴｘＣｏｎｆｉｇＩｎｄｅｘであり；
【０１９６】
３＞スケジューリングされた資源割り当てでＶ２Ｘのサイドリンク通信に対して：
【０１９７】
４＞上位層により構成できなければ、ＭＣＳを選択し；
【０１９８】
３＞前記構成されたサイドリンクグラントに対応するＳＣＩを送信するように物理層に指示し；
【０１９９】
３＞Ｖ２Ｘのサイドリンク通信のために、前記構成されたサイドリンクグラント、前記関連したＨＡＲＱ情報、及び前記ＭＡＣ  ＰＤＵでサイドリンクの論理チャネルの最も高い優先順位の値をこのサブフレームに対してサイドリンクのＨＡＲＱエンティティに運び；
【０２００】
２＞そうでなければ、構成されたサイドリンクグラントがサイドリンク通信のための第１の送信ブロックの送信に対応すれば；
【０２０１】
３＞前記構成されたサイドリンクグラントと、前記関連したＨＡＲＱ情報をこのサブフレームに対してサイドリンクのＨＡＲＱエンティティに運ぶ。
【０２０２】
一部の実現に従って、Ｖ２Ｘのサイドリンク通信のためのＴＸ搬送波の（再−）選択は次のように行われる。ＭＡＣエンティティは、ＣＢＲ測定の結果が利用可能であれば、下位層により測定された搬送波のＣＢＲを考慮し、ＣＢＲ測定の結果が利用可能でなければ、上位層により構成された前記搬送波に対応するｄｅｆａｕｌｔＴｘＣｏｎｆｉｇＩｎｄｅｘを考慮する。
【０２０３】
前記ＴＸ搬送波の（再−）選択がサイドリンクのプロセスに対してトリガーされると、ＭＡＣエンティティは次を行う。
【０２０４】
１＞データが利用可能なサイドリンクの論理チャネルに対して許容されたいずれの搬送波上でも構成されたサイドリンクグラントがなければ：
【０２０５】
２＞前記サイドリンクの論理チャネルと関連した上位層により構成された各搬送波に対して：
【０２０６】
３＞前記搬送波のＣＢＲが前記サイドリンクの論理チャネルの優先順位と関連したｔｈｒｅｓｈＣＢＲ−ＦｒｅｑＲｅｓｅｌｅｃｔｉｏｎより低ければ：
【０２０７】
４＞前記サイドリンクの論理チャネルに対するＴＸ搬送波の（再−）選択に対して候補搬送波として前記搬送波を考慮する。
【０２０８】
１＞そうでなければ：
【０２０９】
２＞データが利用可能な搬送波で許容される各サイドリンクの論理チャネルに対して、ＴＸ搬送波の（再−）選択がトリガーされれば：
【０２１０】
２＞前記搬送波のＣＢＲが前記サイドリンクの論理チャネルの優先順位と関連したｔｈｒｅｓｈＣＢＲ−ＦｒｅｑＲｅｓｅｌｅｃｔｉｏｎより低ければ：
【０２１１】
４＞前記搬送波と前記資源の関連したプールを選択する。
【０２１２】
３＞そうでなければ：
【０２１３】
４＞前記上位層により構成された各搬送波に対して、前記搬送波のＣＢＲが前記サイドリンクの論理チャネルの優先順位と関連したｔｈｒｅｓｈＣＢＲ−ＦｒｅｑＲｅｓｅｌｅｃｔｉｏｎより低ければ：
【０２１４】
５＞ＴＸ搬送波の（再−）選択に対して、候補搬送波として前記搬送波を考慮する。
【０２１５】
一部の実現に従って、ＭＡＣエンティティは次を満たす：
【０２１６】
１＞一以上の搬送波がＴＸ搬送波の（再−）選択に対する候補搬送波として考慮されれば：
【０２１７】
２＞データが利用可能な搬送波で許容される各サイドリンクの論理チャネルに対して、ＴＸ搬送波の（再−）選択がトリガーされれば、最低のＣＢＲからＣＢＲが増加する順で候補搬送波の一つ以上の搬送波、及び関連する資源プールを選択する。
【０２１８】
実現２
【０２１９】
一部の通信システムにおいて、ＭＣＳの選択は、サービスと関連がない。しかし、一部のシナリオにおいて、６４ＱＡＭ（ｑｕａｄｒａｔｕｒｅ  ａｍｐｌｉｔｕｄｅ  ｍｏｄｕｌａｔｉｏｎ）がいくつかのサービスに適用可能である。従って、本開示の一部の実現において、資源再選択のトリガリングに対する基準が修正され得る。
【０２２０】
例えば、一実現によれば、上位層により構成された最大許容のＭＣＳであるｍａｘＭＣＳ−ＰＳＳＣＨとＲＬＣ  ＳＤＵに対応するＳＴＣＨの最大許容のＭＣＳとの間で、より小さいＭＣＳを使用し、前記構成されたサイドリンクグラントがＲＬＣ  ＳＤＵを収容できなければ、また、ＭＡＣエンティティが前記ＲＬＣ  ＳＤＵを分割しないように選択すれば、資源の再選択及び／又はＴＸ搬送波の（再）選択がトリガーされ得る。上位層がＲＬＣ  ＳＤＵに対応するＳＴＣＨの最大許容のＭＣＳを提供しなければ、ＲＬＣ  ＳＤＵに対応するＳＴＣＨの最大許容のＭＣＳは１６ＱＡＭに設定され得る。前記構成されたサイドリンクグラントが前記ＲＬＣ  ＳＤＵを収容できなければ、一部の実現に従って、分割化又はサイドリンク資源の再選択を行う否かをＵＥ実現に残し得る。
【０２２１】
代案として、一部の実現において、ＲＬＣ  ＳＤＵに対応するＳＴＣＨに対する上位層の構成により６４−ＱＡＭが許容され、前記構成されたサイドリンクグラントが６４−ＱＡＭを使用してＲＬＣ  ＳＤＵを収容することができず、ＭＡＣエンティティがＲＬＣ  ＳＤＵを分割しないように選択する場合、多重送信のために構成されたサイドリンクのプロセスは、資源の再選択及び／又はＴＸ搬送波の（再−）選択をトリガーし得る。そうでなければ、上位層により構成された最大許容のＭＣＳであるｍａｘＭＣＳ−ＰＳＳＣＨを使用して、前記構成されたサイドリンクグラントがＲＬＣ  ＳＤＵを収容することができず、ＭＡＣエンティティが前記ＲＬＣ  ＳＤＵを分割しないように選択すると、多重送信に対して構成されたサイドリンクのプロセスが資源の再選択及び／又はＴＸ搬送波の（再−）選択をトリガーし得る。
【０２２２】
本開示の例示的な実現として、前記ＭＡＣエンティティは次のように作動し得る。
【０２２３】
Ｖ２Ｘのサイドリンク通信のために選択された搬送波上で、サイドリンクグラントが次のように選択され得る。
【０２２４】
１＞ＭＡＣエンティティがＰＤＣＣＨで動的にサイドリンクグラントを受信するように構成され、ＳＴＣＨでデータが使用可能な場合、ＭＡＣエンティティは次を行う：
【０２２５】
２＞ＨＡＲＱの再送信回数及びＳＣＩ並びにＳＬ−ＳＣＨの送信が発生するサブフレームセットを決定するために受信されたサイドリンクグラントを使用し；
【０２２６】
２＞前記受信されたサイドリンクグラントを構成されたサイドリンクグラントとして考慮する。
【０２２７】
１＞ＭＡＣエンティティがＳＬの半永久的スケジューリングのＶ−ＲＮＴＩにアドレスされたＰＤＣＣＨに対するサイドリンクグラントを受信するように上位層により構成された場合、ＭＡＣエンティティは各ＳＬ  ＳＰＳの構成に対して次のように行う：
【０２２８】
２＞ＰＤＣＣＨのコンテンツがＳＰＳの活性化を示す場合：
【０２２９】
３＞ＨＡＲＱの再送信回数及びＳＣＩ並びにＳＬ−ＳＣＨの送信が発生するサブフレームセットを決定するために受信されたサイドリンクグラントを使用し；
【０２３０】
３＞受信されたサイドリンクグラントを構成されたサイドリンクグラントとして考慮し；
【０２３１】
２＞ＰＤＣＣＨのコンテンツがＳＰＳの解除を示す場合：
【０２３２】
３＞前記対応する構成されたサイドリンクグラントを消す；
【０２３３】
１＞上位層のみが多数のＭＡＣ  ＰＤＵの送信が許容されることを指示する場合、ＭＡＣエンティティが感知又は部分感知又は無作為選択に基づいて、一つ又は多数の搬送波で資源のプールを使用して送信するように上位層により構成された場合、かつＭＡＣエンティティが多数のＭＡＣ  ＰＤＵの送信に対応する構成されたサイドリンクグラントを生成するように選択し、一つ又は多数の搬送波と関連したＳＴＣＨでデータが利用可能である場合、ＭＡＣエンティティは多数の送信のために構成された各サイドリンクのプロセスに対して次のように行う：
【０２３４】
２＞ＳＬ＿ＲＥＳＯＵＲＣＥ＿ＲＥＳＥＬＥＣＴＩＯＮ＿ＣＯＵＮＴＥＲ＝０であり、ＳＬ＿ＲＥＳＯＵＲＣＥ＿ＲＥＳＥＬＥＣＴＩＯＮ＿ＣＯＵＮＴＥＲが１であったとき、ＭＡＣエンティティが無作為に選択した間隔［０，１］内の値が上位層により構成された確率であるｐｒｏｂＲｅｓｏｕｒｃｅＫｅｅｐより高いか；又は
【０２３５】
２＞最後の数秒の間に構成されたサイドリンクグラントに表された所定の資源上でＭＡＣエンティティにより送信又は再送信が行われないか；又は
【０２３６】
２＞ｓｌ−ＲｅｓｅｌｅｃｔＡｆｔｅｒが構成され、構成されたサイドリンクグラントに表された資源上で連続する未使用の送信機会の数がｓｌ−ＲｅｓｅｌｅｃｔＡｆｔｅｒと同一であるか；又は
【０２３７】
２＞構成されたサイドリンクグラントがないか；又は
【０２３８】
２＞前記構成されたサイドリンクグラントが上位層により構成された最大許容のＭＣＳであるｍａｘＭＣＳ−ＰＳＳＣＨとＲＬＣ  ＳＤＵに対応するＳＴＣＨの最大許容のＭＣＳとの間でより小さいＭＣＳを使用してＲＬＣ  ＳＤＵを収容することができず、ＭＡＣエンティティがＲＬＣ  ＳＤＵを分割しないように選択するか；又は
【０２３９】
上位層がＲＬＣ  ＳＤＵに対応するＳＴＣＨの最大許容のＭＣＳを提供しなければ、いくつかの実現に従って、ＲＬＣ  ＳＤＵに対応するＳＴＣＨの最大許容のＭＣＳは１６ＱＡＭに設定される。前記構成されたサイドリンクグラントが前記ＲＬＣ  ＳＤＵを収容できなければ、一部の実現に従って、分割化又はサイドリンク資源の再選択を行うか否かをＵＥ実現に残し得る。
【０２４０】
２＞前記構成されたサイドリンクグラントによる送信が関連したＰＰＰＰに応じてサイドリンクの論理チャネルでデータの遅延要求事項を満たすことができず、ＭＡＣエンティティが単一のＭＡＣ  ＰＤＵに対応する送信を行わないように選択するか；又は
【０２４１】
２＞資源のプールが上位層により構成されるか、再構成され、搬送波が再選択された場合：
【０２４２】
３＞ＴＸ搬送波の（再−）選択手続をトリガーし；
【０２４３】
３＞利用可能である場合、前記構成されたサイドリンクグラントを消し；
【０２４４】
３＞上位層により構成されたｒｅｓｔｒｉｃｔＲｅｓｏｕｒｃｅＲｅｓｅｒｖａｔｉｏｎＰｅｒｉｏｄ内で許容された値のうち一つを選択し、１００に選択された値を掛けて資源予約間隔を設定し；
【０２４５】
３＞１００ｍｓ以上の資源予約間隔に対して間隔［５，１５］で、５０ｍｓの資源予約間隔に対して間隔［１０，３０］で、又は２０ｍｓの資源予約間隔に対して間隔［２５，７５］で、整数値を同じ確率で無作為に選択し、ＳＬ＿ＲＥＳＯＵＲＣＥ＿ＲＥＳＥＬＥＣＴＩＯＮ＿ＣＯＵＮＴＥＲを選択された値に設定し；
【０２４６】
３＞上位層により構成された許容された数字であるｐｓｓｃｈ−ＴｘＣｏｎｆｉｇＬｉｓｔに含まれたａｌｌｏｗｅｄＲｅｔｘＮｕｍｂｅｒＰＳＳＣＨでＨＡＲＱの再送信数を選択し、上位層により構成されれば、ＣＢＲ及び搬送波にマッピングされたサイドリンクの論理チャネルの最優先順位に対するｃｂｒ−ｐｓｓｃｈ−ＴｘＣｏｎｆｉｇＬｉｓｔで指示されたａｌｌｏｗｅｄＲｅｔｘＮｕｍｂｅｒＰＳＳＣＨと重なるＨＡＲＱの再送信数を選択し、前記ＣＢＲは、ＣＢＲ測定の結果が使用可能であれば、下位層により測定され、前記ＣＢＲ測定の結果が使用可能でなければ、上位層により構成された対応するｄｅｆａｕｌｔＴｘＣｏｎｆｉｇＩｎｄｅｘであり；
【０２４７】
３＞上位層により構成されたｐｓｓｃｈ−ＴｘＣｏｎｆｉｇＬｉｓｔに含まれたｍｉｎＳｕｂｃｈａｎｎｅｌ−ＮｕｍｂｅｒＰＳＳＣＨとｍａｘＳｕｂｃｈａｎｎｅｌ−ＮｕｍｂｅｒＰＳＳＣＨとの間の範囲内で周波数資源の量を選択し、上位層により構成されれば、ＣＢＲ及び搬送波にマッピングされたサイドリンクの論理チャネルの最優先順位に対するｃｂｒ−ｐｓｓｃｈ−ＴｘＣｏｎｆｉｇＬｉｓｔで指示されたｍｉｎＳｕｂｃｈａｎｎｅｌ−ＮｕｍｂｅｒＰＳＳＣＨとｍａｘＳｕｂｃｈａｎｎｅｌ−ＮｕｍｂｅｒＰＳＳＣＨと重なる範囲内で周波数資源の量を選択し、前記ＣＢＲは、ＣＢＲ測定の結果が使用可能であれば、下位層により測定され、前記ＣＢＲ測定の結果が使用可能でなければ、上位層により構成された対応するｄｅｆａｕｌｔＴｘＣｏｎｆｉｇＩｎｄｅｘであり；
【０２４８】
３＞無作為選択を基にする送信が上位層により構成されれば；
【０２４９】
４＞選択された周波数資源の量に応じて、資源プールから一つの送信機会に対する時間及び周波数資源を無作為に選択する。前記ランダム関数は、許容された選択のそれぞれが同じ確率で選択できるように行われるべきである。
【０２５０】
３＞そうでなければ：
【０２５１】
４＞選択された周波数資源の量に応じて、物理層により指示された資源から一つの送信機会に対する時間及び周波数資源を無作為に選択する。前記ランダム関数は、許容された選択のそれぞれが同じ確率で選択できるように行われるべきである；
【０２５２】
３＞ランダムに選択された資源を使用してＭＡＣ  ＰＤＵの送信機会の数に対応するＳＣＩ及びＳＬ−ＳＣＨの送信機会に対する資源予約間隔により離隔された周期的資源のセットを選択し；
【０２５３】
３＞ＨＡＲＱの再送信の数が１と同一であり、より多くの送信機会に対して条件を満たす物理層により表された資源に残った可用資源があれば：
【０２５４】
４＞選択された周波数資源の量に応じて、利用可能な資源から一つの送信機会に対する時間及び周波数資源を無作為に選択する。前記ランダム関数は、許容された選択のそれぞれが同じ確率で選択できるように行われるべきである。
【０２５５】
４＞ランダムに選択された資源を使用してＭＡＣ  ＰＤＵの再送信機会の数に対応するＳＣＩ及びＳＬ−ＳＣＨの他の送信機会に対する資源予約間隔により離隔された周期的資源のセットを選択し；
【０２５６】
４＞新しい送信機会として第１の送信機会セットを、再送信機会として他の送信機会セットを考慮し；
【０２５７】
４＞前記選択されたサイドリンクグラントとして新しい送信機会と再送信機会のセットを考慮する。
【０２５８】
３＞そうでなければ：
【０２５９】
４＞前記セットを前記選択されたサイドリンクグラントとして考慮し；
【０２６０】
３＞ＳＣＩとＳＬ−ＳＣＨの送信が発生するサブフレームのセットを決定するために、前記選択されたサイドリンクグラントを使用し；
【０２６１】
３＞前記選択されたサイドリンクグラントを構成されたサイドリンクグラントとして考慮し；
【０２６２】
２＞そうではない場合、ＳＬ＿ＲＥＳＯＵＲＣＥ＿ＲＥＳＥＬＥＣＴＩＯＮ＿ＣＯＵＮＴＥＲ＝０であり、ＳＬ＿ＲＥＳＯＵＲＣＥ＿ＲＥＳＥＬＥＣＴＩＯＮ＿ＣＯＵＮＴＥＲが１であったとき、ＭＡＣエンティティが無作為に選択した間隔［０，１］内の値が上位層により構成された確率であるｐｒｏｂＲｅｓｏｕｒｃｅＫｅｅｐより高ければ：
【０２６３】
３＞前記構成されたサイドリンクグラントを消し、利用可能であれば；
【０２６４】
３＞１００ｍｓ以上の資源予約間隔に対して間隔［５，１５］で、５０ｍｓの資源予約間隔に対して間隔［１０，３０］で、又は２０ｍｓの資源予約間隔に対して間隔［２５，７５］で、整数値を同じ確率で無作為に選択し、ＳＬ＿ＲＥＳＯＵＲＣＥ＿ＲＥＳＥＬＥＣＴＩＯＮ＿ＣＯＵＮＴＥＲを選択された値に設定し；
【０２６５】
３＞前記資源予約間隔を有し、ＭＡＣ  ＰＤＵの送信数に対して、既に選択されたサイドリンクグラントを使用し、ＳＣＬとＳＬ−ＳＣＨの送信が発生するサブフレームのセットを決定し；
【０２６６】
３＞前記選択されたサイドリンクグラントを構成されたサイドリンクグラントとして考慮し；
【０２６７】
１＞そうではない場合、ＭＡＣエンティティが一つ又は多数の資源のプールを使用して送信するように上位層により構成され、ＭＡＣエンティティは単一のＭＡＣ  ＰＤＵの送信に対応して構成されたサイドリンクグラントを生成するように選択し、データが一つ又は多数の搬送波と関連したＳＴＣＨで利用可能である場合、ＭＡＣエンティティはサイドリンクのプロセスに対して次のように行うべきである：
【０２６８】
２＞ＴＸ搬送波の（再−）選択手続をトリガーし；
【０２６９】
２＞上位層により構成された許容された数字であるｐｓｓｃｈ−ＴｘＣｏｎｆｉｇＬｉｓｔに含まれたａｌｌｏｗｅｄＲｅｔｘＮｕｍｂｅｒＰＳＳＣＨでＨＡＲＱの再送信数を選択し、上位層により構成されれば、ＣＢＲ及び搬送波にマッピングされたサイドリンクの論理チャネルの最優先順位に対するｃｂｒ−ｐｓｓｃｈ−ＴｘＣｏｎｆｉｇＬｉｓｔで指示されたａｌｌｏｗｅｄＲｅｔｘＮｕｍｂｅｒＰＳＳＣＨと重なるＨＡＲＱの再送信数を選択し、前記ＣＢＲは、ＣＢＲ測定の結果が使用可能であれば、下位層により測定され、前記ＣＢＲ測定の結果が使用可能でなければ、上位層により構成された対応するｄｅｆａｕｌｔＴｘＣｏｎｆｉｇＩｎｄｅｘであり；
【０２７０】
２＞上位層により構成されたｐｓｓｃｈ−ＴｘＣｏｎｆｉｇＬｉｓｔに含まれたｍｉｎＳｕｂｃｈａｎｎｅｌ−ＮｕｍｂｅｒＰＳＳＣＨとｍａｘＳｕｂｃｈａｎｎｅｌ−ＮｕｍｂｅｒＰＳＳＣＨとの間の範囲内で周波数資源の量を選択し、上位層により構成されれば、ＣＢＲ及び搬送波にマッピングされたサイドリンクの論理チャネルの最優先順位に対するｃｂｒ−ｐｓｓｃｈ−ＴｘＣｏｎｆｉｇＬｉｓｔで指示されたｍｉｎＳｕｂｃｈａｎｎｅｌ−ＮｕｍｂｅｒＰＳＳＣＨとｍａｘＳｕｂｃｈａｎｎｅｌ−ＮｕｍｂｅｒＰＳＳＣＨと重なる範囲内で周波数資源の量を選択し、前記ＣＢＲは、ＣＢＲ測定の結果が使用可能であれば、下位層により測定され、前記ＣＢＲ測定の結果が使用可能でなければ、上位層により構成された対応するｄｅｆａｕｌｔＴｘＣｏｎｆｉｇＩｎｄｅｘであり；
【０２７１】
２＞無作為選択を基にする送信が上位層により構成されれば；
【０２７２】
３＞選択された周波数資源の量に応じて、資源プールからＳＣＩ及びＳＬ−ＳＣＨの一つの送信機会に対する時間及び周波数資源を無作為に選択する。前記ランダム関数は、許容された選択のそれぞれが同じ確率で選択できるように行われるべきである；
【０２７３】
２＞そうでなければ：
【０２７４】
３＞選択された周波数資源の量に応じて、物理層により指示された資源からＳＣＩ及びＳＬ−ＳＣＨの一つの送信機会に対する時間及び周波数資源を無作為に選択する。前記ランダム関数は、許容された選択のそれぞれが同じ確率で選択できるように行われるべきである；
【０２７５】
２＞ＨＡＲＱの再送信の数が１と同一であると：
【０２７６】
３＞無作為選択を基にする送信が上位層により構成され、もう一度送信機会に対して条件を満たす可用資源があれば：
【０２７７】
４＞選択された周波数資源の量に応じて、利用可能な資源からＭＡＣ  ＰＤＵの付加的な送信に対応するＳＣＩ及びＳＬ−ＳＣＨの他の送信機会に対する時間及び周波数資源を無作為に選択する。前記ランダム関数は、許容された選択のそれぞれが同じ確率で選択できるように行われるべきである；
【０２７８】
３＞そうでなければ、感知又は部分感知を基にする送信が上位層により構成され、もう一度送信機会に対して条件を満たす物理層により指示された資源に残っている可用資源があれば：
【０２７９】
４＞選択された周波数資源の量に応じて、利用可能な資源からＭＡＣ  ＰＤＵの付加的な送信に対応するＳＣＩ及びＳＬ−ＳＣＨの他の送信機会に対する時間及び周波数資源を無作為に選択する。前記ランダム関数は、許容された選択のそれぞれが同じ確率で選択できるように行われるべきである。
【０２８０】
３＞新しい送信機会として最初に来る送信機会を、再送信機会として後に来る送信機会を考慮し：
【０２８１】
３＞選択されたサイドリンクグラントとして前記２つの送信機会を考慮し；
【０２８２】
２＞そうでなければ：
【０２８３】
３＞前記選択されたサイドリンクグラントとして前記送信機会を考慮し；
【０２８４】
２＞前記選択されたサイドリンクグラントを使用し、前記ＳＣＩ及びＳＬ−ＳＣＨの送信が発生するサブフレームを決定し；
【０２８５】
２＞前記選択されたサイドリンクグラントを構成されたサイドリンクグラントとして考慮する。
【０２８６】
Ｖ２Ｘのサイドリンク通信に対して、一部の実現によれば、ＵＥは無作為に選択された時間及び周波数資源が遅延要求事項を満たすように保証し得る。
【０２８７】
例えば、Ｖ２Ｘのサイドリンク通信の場合、ＵＥが時間資源及び周波数資源を無作為に選択するか、ＵＥが無作為に選択された資源を使用して資源予約間隔に離隔された周期的資源のセットを選択する場合、前記ＵＥは次の要件を満たさなければならない。
【０２８８】
いくつかの実現において、ＭＡＣエンティティは各サブフレームに対して次を行う：
【０２８９】
１＞ＭＡＣエンティティがこのサブフレームに発生するサイドリンクグラントを有すれば：
【０２９０】
２＞ＳＬ＿ＲＥＳＯＵＲＣＥ＿ＲＥＳＥＬＥＣＴＩＯＮ＿ＣＯＵＮＴＥＲ＝１であり、ＭＡＣエンティティが無作為に選択した間隔［０，１］内の値が上位層により構成された確率であるｐｒｏｂＲｅｓｏｕｒｃｅＫｅｅｐより高ければ：
【０２９１】
３＞資源予約間隔を０に設定し；
【０２９２】
２＞前記構成されたサイドリンクグラントがＳＣＩの送信に該当すれば：
【０２９３】
３＞前記構成されたサイドリンクグラントに対応するＳＣＩを送信するように物理層に指示し；
【０２９４】
３＞Ｖ２Ｘのサイドリンク通信のために、前記構成されたサイドリンクグラント、前記関連したＨＡＲＱ情報、及び前記ＭＡＣ  ＰＤＵでサイドリンクの論理チャネルの最も高い優先順位の値をこのサブフレームに対してサイドリンクのＨＡＲＱエンティティに運び；
【０２９５】
２＞そうでなければ、構成されたサイドリンクグラントがサイドリンク通信のための第１の送信ブロックの送信に対応すれば；
【０２９６】
３＞前記構成されたサイドリンクグラントと、前記関連したＨＡＲＱ情報をこのサブフレームに対してサイドリンクのＨＡＲＱエンティティに運ぶ。
【０２９７】
一部の実現において、サイドリンク通信のためのＨＡＲＱ動作は、次のように行われ得る。ＭＡＣエンティティは、上位層により一つ又は多数の搬送波上で資源のプールを使用して送信するように構成され、ＳＬ−ＳＣＨ上での送信のために、各搬送波に対してＭＡＣエンティティに一つのサイドリンクのＨＡＲＱエンティティがあり、これは多数の並列サイドリンクのプロセスを維持する。
【０２９８】
Ｖ２Ｘのサイドリンク通信に対して、一部の実現において、各サイドリンクのＨＡＲＱエンティティと関連した送信サイドリンクのプロセスの最大の数は８である。サイドリンクのプロセスは、多数のＭＡＣ  ＰＤＵの送信のために構成され得る。多数のＭＡＣ  ＰＤＵの送信のために、各サイドリンクのＨＡＲＱエンティティと関連した送信サイドリンクのプロセスの最大の数は２である。
【０２９９】
一部の実現において、運ばれて構成されたサイドリンクグラントと、それに関するＨＡＲＱ情報は、サイドリンクのプロセスと関連する。
【０３００】
前記ＳＬ−ＳＣＨの各サブフレームと各サイドリンクのプロセスに対しては、一部の実現において、サイドリンクのＨＡＲＱエンティティは次を満たさなければならない。
【０３０１】
１＞このサイドリンクのプロセスに対して、新しい送信機会に対応するサイドリンクグラントが指示され、ＳＬデータがある場合、このサイドリンクグラントと関連したＰｒｏＳｅ目的地のサイドリンクチャネルに対して送信が可能な場合：
【０３０２】
２＞「多重化及びアセンブリー」エンティティからＭＡＣ  ＰＤＵを得て；
【０３０３】
２＞前記ＭＡＣ  ＰＤＵ、前記サイドリンクグラント、及びＨＡＲＱ情報をこのサイドリンクのプロセスに伝達し；
【０３０４】
２＞このサイドリンクのプロセスが新しい送信をトリガーするように指示する。
【０３０５】
１＞そうでなければ、このサブフレームが前記サイドリンクのプロセスに対して再送信機会に対応すれば：
【０３０６】
２＞このサイドリンクのプロセスが再送信をトリガーするように指示する。
【０３０７】
一部の実現において、サイドリンクの論理チャネルの優先指定は、次のように行われ得る。論理チャネルの優先化指定手続は、新しい送信が行われる際に適用される。各サイドリンクの論理チャネルは、前記ＰＰＰＰである関連の優先順位を有し、また、関連したＰＰＰＲ（ＰｒｏＳｅ  ｐｅｒ−ｐａｃｋｅｔ  ｒｅｌｉａｂｉｌｉｔｙ）を有する。多数のサイドリンクの論理チャネルは、同一である関連の優先順位を有し得る。前記優先順位とＬＣＩＤ間のマッピングは、ＵＥ実現のために残っていることがある。複製が活性化されれば、ＭＡＣエンティティは異なるサイドリンクの論理チャネルを異なる搬送波で複製にマッピングすべきである。
【０３０８】
一部の実現において、ＭＡＣエンティティはサイドリンク通信でＳＣ期間に送信された各ＳＣＩ又はＶ２Ｘのサイドリンク通信で新しい送信に対応する各ＳＣＩに対して、次の論理チャネルの優先順位指定手続を行うべきである。
【０３０９】
１＞ＭＡＣエンティティは、次の段階でサイドリンクの論理チャネルに資源を割り当てるべきである。
【０３１０】
２＞前記ＳＣ期間と、このＳＣ期間と重なるＳＣ期間（ある場合）に対して、以前に選択されていないサイドリンクの論理チャネルのみを考慮し、サイドリンク通信で送信できるデータを確保する。
【０３１１】
２＞上位層で構成された場合、Ｖ２Ｘのサイドリンク通信のためにＳＣＩが送信される搬送波で許容されるサイドリンクの論理チャネルのみ考慮する。
【０３１２】
２＞複製が活性化されれば、前記ＳＣＩが送信される搬送波にマッピングされていないサイドリンクの論理チャネルを排除する。
【０３１３】
２＞段階０：送信できるデータを有するサイドリンクの論理チャネルのうち、最も高い優先順位を有するサイドリンクの論理チャネルを有するＰｒｏＳｅ目的地を選択し；
【０３１４】
１＞ＳＣＩと関連した各ＭＡＣ  ＰＤＵの場合：
【０３１５】
２＞段階１：選択したＰｒｏＳｅ目的地に属し、送信可能なデータがあるサイドリンクの論理チャネルのうち、最も高い優先順位を有するサイドリンクの論理チャネルに資源を割り当て；
【０３１６】
２＞段階２：資源が残っていれば、選択されたＰｒｏＳｅ目的地に属するサイドリンクの論理チャネルは、サイドリンクの論理チャネル、又はＳＬグラントに対するデータがなくなるまで優先順位の低い順序で提供される。同一の優先順位で構成されたサイドリンクの論理チャネルが同じように提供されなければならない。
【０３１７】
１＞前記ＵＥは、前記のスケジューリング手続の間、以下の規則に従うべきである；
【０３１８】
２＞全ＳＤＵ（又は部分的に送信されたＳＤＵ）が残りの資源に適合であれば、前記ＵＥはＲＬＣ  ＳＤＵ（又は部分的に送信されたＳＤＵ）を分割してはならず；
【０３１９】
２＞前記ＵＥがサイドリンクの論理チャネルからＲＬＣ  ＳＤＵを分割すれば、前記グラントをできるだけ多く満たすようにセグメントの大きさを最大化すべきであり；
【０３２０】
２＞前記ＵＥはデータ送信を最大化すべきであり；
【０３２１】
２＞送信可能なデータを有しつつ、１０バイト（サイドリンク通信）又は１１バイト（Ｖ２Ｘのサイドリンク通信）以上であるサイドリンクグラントの大きさが与えられた場合、前記ＭＡＣエンティティはパディング（ｐａｄｄｉｎｇ）のみ送信してはならない。
【０３２２】
実現３
【０３２３】
一部の通信システムにおいて、信頼度レベル（例：ＰＰＰＲ）はバッファー状態の報告に考慮されない。このようなシナリオにおいて、より高い信頼度（例えば、より低いＰＰＰＲを有するデータ）、及びより低い優先順位（例えば、より高いＰＰＰＰを有するデータ）を要求するデータの量は報告できない。このようなシナリオは、より低い優先順位でより高い信頼性を有するデータが送信される可能性がより低いという問題を引き起こし得る。
【０３２４】
本開示の実現に従って、ＰｒｏＳｅ目的地のサイドリンクの論理チャネルに対して、ＳＬデータが前記ＲＬＣエンティティ又は前記ＰＤＣＰエンティティで送信のために使用可能であれば、そしてデータが同一のＰｒｏＳｅ目的地に属するあるＬＣＧに属し、また、データが既に送信に利用可能なサイドリンクの論理チャネルのＰＰＰＲよりさらに低いＰＰＰＲを有するサイドリンクの論理チャネルに属するか、同一のＰｒｏＳｅ目的地に属するあるサイドリンクの論理チャネルの送信に利用可能なデータが現在なければ、臨界信頼度レベル（ｔｈｒｅｓｈｏｌｄ  ｒｅｌｉａｂｉｌｉｔｙ  ｌｅｖｅｌ）未満（及び／又は同一）の信頼度レベル（即ち、ＰＰＰＲ）を有するデータは、ＢＳＲ報告（ＢＳＲ  ｒｅｐｏｒｔｉｎｇ）をトリガーし得る。
【０３２５】
代案として、ＰｒｏＳｅ目的地のサイドリンクの論理チャネルに対して、ＳＬデータが前記ＲＬＣエンティティ又は前記ＰＤＣＰエンティティで送信のために使用可能であれば、そしてデータが同一のＰｒｏＳｅ目的地に属するあるＬＣＧに属し、また、データが既に送信に利用可能であり、構成されたＰＰＰＲ臨界値よりさらに低い（及び／又は同一の）サイドリンクの論理チャネルのＰＰＰＲよりさらに低いＰＰＰＲを有するサイドリンクの論理チャネルに属すれば、臨界優先レベルより低い（及び／又は同一の）優先レベル（即ち、ＰＰＰＰ）を有するデータがＢＳＲ報告をトリガーし得る。
【０３２６】
前記ネットワークは、専用の構成を介したＢＳＲの報告のために、前記信頼度の臨界値（例えば、ＰＰＰＲ臨界値）及び／又は優先順位の臨界値（例えば、ＰＰＰＰ臨界値）を構成し得る。
【０３２７】
本開示の実現の例として、サイドリンク通信のためのＢＳＲは、次のように行われ得る。前記サイドリンクのＢＳＲ手続は、ＭＡＣエンティティと関連したＳＬバッファーで送信に利用可能なサイドリンクデータの量に関する情報をサービングｅＮＢに提供するために使用される。一部の実現において、ＲＲＣは２つのタイマーｐｅｒｉｏｄｉｃ−ＢＳＲ−ＴｉｍｅｒＳＬ及びｒｅｔｘ−ＢＳＲ−ＴｉｍｅｒＳＬを構成することによって、サイドリンクに対するＢＳＲ報告を制御する。各サイドリンクの論理チャネルは、ＰｒｏＳｅ目的地に属する。各サイドリンクの論理チャネルは、前記サイドリンクの論理チャネルの優先順位、及び選択的にＰＰＰＲに応じてＬＣＧに割り当てられ、ＬＣＧ  ＩＤと優先順位との間のマッピング、及び選択的にｌｏｇｉｃａｌＣｈＧｒｏｕｐＩｎｆｏＬｉｓｔで上位層により提供されるＬＣＧ  ＩＤとＰＰＰＲとの間のマッピングに応じてＬＣＧに割り当てられる。前記ＬＣＧはＰｒｏＳｅ目的地によって定義される。
【０３２８】
一部の実現に従って、サイドリンクのＢＳＲは、次のイベントのいずれかが発生すれば、トリガーされる。
【０３２９】
１＞ＭＡＣエンティティが構成されたＳＬ−ＲＮＴＩ、又は構成されたサイドリンクのＶ−ＲＮＴＩ（ＳＬ−Ｖ−ＲＮＴＩ）を有すれば：
【０３３０】
２＞ＰｒｏＳｅ目的地のサイドリンクの論理チャネルに対して、ＳＬデータが前記ＲＬＣエンティティ又は前記ＰＤＣＰエンティティで送信のために使用可能であり、そしてデータが同一のＰｒｏＳｅ目的地に属するあるＬＣＧに属し、また、データが既に送信に利用可能なサイドリンクの論理チャネルの優先順位よりさらに高い優先順位を有するサイドリンクの論理チャネルに属するか、同一のＰｒｏＳｅ目的地に属する前記サイドリンクの論理チャネルのあるチャネルに対する送信が利用可能なデータが現在ない場合、この場合、以下、前記サイドリンクのＢＳＲは「一般サイドリンクのＢＳＲ（ｒｅｇｕｌａｒ  ｓｉｄｅｌｉｎｋ  ＢＳＲ）」と言及される。
【０３３１】
２＞ＰｒｏＳｅ目的地のサイドリンクの論理チャネルに対して、ＳＬデータが前記ＲＬＣエンティティ又は前記ＰＤＣＰエンティティで送信のために使用可能であり、そしてデータが同一のＰｒｏＳｅ目的地に属するあるＬＣＧに属し、また、データが既に送信に利用可能なサイドリンクの論理チャネルのＰＰＰＲよりさらに低いＰＰＰＲを有するサイドリンクの論理チャネルに属するか、同一のＰｒｏＳｅ対象に属する前記サイドリンクの論理チャネルのあるチャネルに対する送信が利用可能なデータが現在なく；
【０３３２】
２＞ＰｒｏＳｅ目的地のサイドリンクの論理チャネルに対して、ＳＬデータが前記ＲＬＣエンティティ又は前記ＰＤＣＰエンティティで送信のために使用可能であり、そしてデータが同一のＰｒｏＳｅ目的地に属するあるＬＣＧに属し、また、データが既に送信に利用可能であり、構成されたＰＰＰＲ臨界値よりさらに低い（及び／又は同一の）サイドリンクの論理チャネルのＰＰＰＲよりさらに低いＰＰＰＲを有するサイドリンクの論理チャネルに属し；
【０３３３】
２＞ＵＬ資源が割り当てられ、パディングＢＳＲがトリガーされた後、残ったパディングビットの数がＰｒｏＳｅ目的地の少なくとも一つのＬＣＧと、そのサブヘッダに対するバッファー状態を含むサイドリンクＢＳＲ  ＭＡＣ制御要素の大きさ以上であり、この場合、サイドリンクＢＳＲは、以下「パディングサイドリンクのＢＳＲ」と称され；
【０３３４】
２＞ｒｅｔｘ−ＢＳＲ−ＴｉｍｅｒＳＬが満了し、ＭＡＣエンティティは、前記サイドリンクの論理チャネルのいずれかに対する送信に利用可能なデータを有し、この場合、前記サイドリンクＢＳＲは、以下で「一般サイドリンクのＢＳＲ」と称され；
【０３３５】
２＞周期的なＢＳＲ−ＴｉｍｅｒＳＬが満了し、この場合、サイドリンクのＢＳＲは、以下で「周期的なサイドリンクのＢＳＲ」と称され；
【０３３６】
１＞そうでなければ：
【０３３７】
２＞ＳＬ−ＲＮＴＩ又はＳＬ−Ｖ−ＲＮＴＩは、上位層により構成され、ＳＬデータは、ＲＬＣエンティティ又はＰＤＣＰエンティティで送信が可能であり、この場合、前記サイドリンクのＢＳＲを以下で「一般サイドリンクのＢＳＲ」と称する。
【０３３８】
一般又は周期的なサイドリンクのＢＳＲに対して：
【０３３９】
１＞前記ＵＬグラントのビット数が送信に利用可能なデータ、及びそのサブヘッダを有する全てのＬＣＧに対するバッファー状態を含むサイドリンクのＢＳＲの大きさ以上である場合：
【０３４０】
２＞送信可能なデータを有する全てのＬＣＧに対するバッファー状態を含むサイドリンクのＢＳＲを報告し；
【０３４１】
１＞そうでなければ、ＵＬグラントでビット数を考慮し、できるだけ多くの送信可能なデータを有するＬＣＧに対するバッファー状態を含む切られたサイドリンク（Ｔｒｕｎｃａｔｅｄ  Ｓｉｄｅｌｉｎｋ）ＢＳＲを報告する。
【０３４２】
パディングサイドリンクのＢＳＲに対して：
【０３４３】
１＞パディングＢＳＲがトリガーされた後に残っているパディングビットの数が送信に使用できるデータとサブヘッダを有する全てのＬＣＧに対するバッファー状態を含むサイドリンクＢＳＲの大きさ以上である場合：
【０３４４】
２＞送信可能なデータを有する全てのＬＣＧに対するバッファー状態を含むサイドリンクのＢＳＲを報告し；
【０３４５】
１＞そうでなければ、ＵＬグラントでビット数を考慮し、できるだけ多くの送信可能なデータを有するＬＣＧに対するバッファー状態を含む切られたサイドリンクのＢＳＲを報告する。
【０３４６】
バッファー状態報告手続で一つ以上のサイドリンクのＢＳＲがトリガーされて取り消されていないと判断すると、次を行う：
【０３４７】
１＞前記ＭＡＣエンティティが、このＴＴＩに対する新しい送信のために割り当てられたＵＬ資源を有しており、割り当てられたＵＬ資源が論理チャネルの優先順位指定の結果としてサイドリンクのＢＳＲ  ＭＡＣ制御要素と、そのサブヘッダを収容できれば：
【０３４８】
２＞多重化及び組立て手続に、前記サイドリンクのＢＳＲ  ＭＡＣ制御要素を生成するように指示し；
【０３４９】
２＞生成された全てのサイドリンクのＢＳＲが、切られたサイドリンクのＢＳＲの場合を除き、ｐｅｒｉｏｄｉｃ−ＢＳＲ−ＴｉｍｅｒＳＬを開始又は再開始し；
【０３５０】
２＞ｒｅｔｘ−ＢＳＲ−ＴｉｍｅｒＳＬを開始又は再開始し；
【０３５１】
１＞そうでなければ、一般的なサイドリンクのＢＳＲがトリガーされていれば：
【０３５２】
２＞アップリンクグラントが構成されていなければ：
【０３５３】
３＞スケジューリング要請がトリガーされる。
【０３５４】
一部の実現において、サイドリンクのＢＳＲが送信できる時間まで多数のイベントがサイドリンクのＢＳＲをトリガーする場合にも、ＭＡＣ  ＰＤＵは最大一つのサイドリンクのＢＳＲ  ＭＡＣ制御要素を含まなければならず、この場合、一般的なサイドリンクのＢＳＲ及び周期的サイドリンクのＢＳＲは、前記パディングサイドリンクのＢＳＲより優先する。
【０３５５】
一部の実現において、前記ＭＡＣエンティティがＳＬグラントを受信すれば、ｒｅｔｘ−ＢＳＲ−ＴｉｍｅｒＳＬを再開始すべきである。
【０３５６】
このＳＣ期間に有効な残りの構成されたＳＬグラントがサイドリンク通信で送信に使用可能な全ての保留中のデータを収容することができるか、有効な残りの構成されたＳＬグラントがＶＸ２のサイドリンク通信で送信に利用可能な全ての保留中のデータを収容することができる場合、全てのトリガーされた一般サイドリンクのＢＳＲが取り消される。ＭＡＣエンティティにサイドリンクの論理チャネルのうち１つに対する送信可能なデータがない場合、全てのトリガーされたサイドリンクのＢＳＲが取り消される。ＭＡＣ  ＰＤＵにサイドリンクのＢＳＲ（切られたサイドリンクのＢＳＲを除く）が送信のために含まれていれば、トリガーされた全てのサイドリンクのＢＳＲが取り消される。上位層が自律的資源の選択を構成する際、全てのトリガーされたサイドリンクのＢＳＲが取り消され、ｒｅｔｘ−ＢＳＲ−ＴｉｍｅｒＳＬ及びｐｅｒｉｏｄｉｃ−ＢＳＲ−ＴｉｍｅｒＳＬが中止される。
【０３５７】
一部の実現において、ＭＡＣエンティティは、ＴＴＩで最大一つの一般的な／周期的なサイドリンクのＢＳＲを送信すべきである。前記ＭＡＣエンティティがＴＴＩで多数のＭＡＣ  ＰＤＵを送信するように要請されれば、一般的な／周期的なサイドリンクのＢＳＲを含んでいないＭＡＣ  ＰＤＵのいずれかでパディングサイドリンクのＢＳＲを含み得る。
【０３５８】
一部の実現によれば、ＴＴＩで送信された全てのサイドリンクのＢＳＲは、このＴＴＩのために全てのＭＡＣ  ＰＤＵが構築された後に、常時バッファー状態を反映する。各ＬＣＧは、ＴＴＩ当たり最大一つのバッファー状態の値を報告しなければならず、この値は、このＬＣＧに対する全てのサイドリンクのＢＳＲ報告バッファ状態に報告されなければならない。
【０３５９】
パディングサイドリンクのＢＳＲはトリガーされた一般／周期的なサイドリンクのＢＳＲを取り消すことができない。パディングサイドリンクのＢＳＲは、特定のＭＡＣ  ＰＤＵに対してのみトリガーされ、このＭＡＣ  ＰＤＵが構築されれば、トリガーが取り消される。
【０３６０】
本開示の一実現によるＳＬ−ＳＣＨのＭＡＣヘッダは、次の通りである。前記ＭＡＣヘッダは可変の大きさであり、次のフィールドで構成される。
【０３６１】
−  Ｖ：ＭＡＣ  ＰＤＵのフォーマットバージョンの番号フィールドは、使用されるＳＬ−ＳＣＨサブヘッダバージョンを表す。三つのフォーマットバージョンが定義されるので、このフィールドは、「０００１」、「００１０」、及び「００１１」に設定される。ＤＳＴフィールドが２４ビットであれば、このフィールドは「００１１」設定される。前記Ｖフィールドの大きさは、４ビットである。
【０３６２】
−  ＳＲＣ：ソース層−２のＩＤフィールドは、ソースのＩＤを伝達する。これは、ＰｒｏＳｅ  ＵＥ  ＩＤに設定される。前記ＳＲＣフィールドの大きさは２４ビットである。
【０３６３】
−  ＤＳＴ：前記ＤＳＴフィールドは、１６ビット又は２４ビットであり得る。１６ビットである場合、対象層−２のＩＤの最上位の１６ビットを伝達する。２４ビットである場合、対象層−２のＩＤに設定される。サイドリンク通信の場合、前記対象層−２のＩＤは、ＰｒｏＳｅ層−２グループＩＤ又はＰｒｏｓｅ  ＵＥ  ＩＤに設定される。Ｖ２Ｘのサイドリンク通信の場合、前記対象層−２のＩＤは、上位層で提供した識別子に設定される。前記Ｖフィールドが「０００１」に設定されると、この識別子はグループキャスト（ｇｒｏｕｐｃａｓｔ）識別子である。Ｖフィールドが「００１０」に設定されると、この識別子はユニキャスト識別子（ｕｎｉｃａｓｔ  ｉｄｅｎｔｉｆｉｅｒ）である。
【０３６４】
−  ＬＣＩＤ：前記論理チャネルのＩＤフィールドは、下記表１に記載されているように、該当ＭＡＣ  ＳＤＵ又はパディングのソース層−２のＩＤ及び対象層−２のＩＤ対の範囲内で論理チャネルの例を固有に識別する。前記ＭＡＣ  ＰＤＵに含まれた各ＭＡＣ  ＳＤＵ又はパディングに対して、一つのＬＣＩＤフィールドがある。これに加えて、１バイト又は２バイトのパディングが必要であるが、前記ＭＡＣ  ＰＤＵの終わりにパディングで達成できない場合、一つ又は二つの追加のＬＣＩＤフィールドが前記ＭＡＣ  ＰＤＵに含まれる。「０１０１１」から「１０１００」までのＬＣＩＤの値は、論理チャネルで複製されたＭＡＣ  ＳＤＵを送信するのに使用される論理チャネルを識別し、そのうちのＬＣＩＤ値は、「００００１」から「０１０１０」まで順次に表される。前記ＬＣＩＤフィールドの大きさは５ビットである。
【０３６５】
【表１】
2021512552.tif 000003
【０３６６】
−  Ｌ：長さフィールドは、対応するＭＡＣ  ＳＵの長さをバイトで表される。ＭＡＣ  ＰＤＵのサブヘッダ当たり一つのＬフィールドが最後のサブヘッダを除いている。前記Ｌフィールドの大きさは、Ｆフィールドで表される。
【０３６７】
−  Ｆ：前記フォーマットフィールドは、下記の表２に示すように、長さフィールドの大きさを表す。ＭＡＣ  ＰＤＵのサブヘッダ当たり一つのＦフィールドが最後のサブヘッダを除いている。前記Ｆフィールドの大きさは１ビットである。前記ＭＡＣ  ＳＤＵの大きさが１２８バイトより小さければ、Ｆフィールドの値は０に設定され、そうでなければ、１に設定される。
【０３６８】
【表２】
2021512552.tif 000004
【０３６９】
−  Ｅ：延長フィールド（ｅｘｔｅｎｓｉｏｎ  ｆｉｅｌｄ）は、ＭＡＣヘッダにさらに多くのフィールドがあるか否かを表すフラグである。前記Ｅフィールドは「１」に設定され、少なくともＲ／Ｒ／Ｅ／ＬＣＩＤフィールドの他のセットを表す。前記Ｅフィールドは「０」に設定され、ＭＡＣ  ＳＤＵ又はパディングが、次のバイトで始めることを表す。
【０３７０】
−  Ｒ：予約されたビット、「０」に設定。
【０３７１】
前記ＭＡＣヘッダとサブヘッダは８進数に整列される。
【０３７２】
図６は、本開示の一部の実現によるＵＥの例を表す。前記ＵＥ側に対して、前記で説明された本開示の例は、この実現に適用され得る。具体的に、この実現は、前述した実現１を実現し得る。
【０３７３】
ＵＥ６００は、プロセッサ６１０のような少なくとも一つのプロセッサ、メモリ６２０のような少なくとも一つのメモリ、及び送受信機６３０を含む。前記プロセッサ６１０は、この説明で記載されて提案された機能、手続及び／又は方法を実現するように構成され得る。無線インターフェースプロトコルの層は、プロセッサ６１０で実現され得る。
【０３７４】
具体的に、プロセッサ６１０は、多数のＭＡＣ  ＰＤＵの送信に対応する構成されたサイドリンクグラントを生成して選択するように構成される。一つ又は多数の搬送波と関連したＳＴＣＨでデータが利用可能であり、一つ又は多数の搬送波のうちＳＴＣＨのために許容されたいずれの搬送波上でもサイドリンクグラントがない場合、前記プロセッサ６１０はＴＸ搬送波の（再−）手続をトリガーするように構成される。
【０３７５】
前記プロセッサ６１０は、ＭＡＣエンティティを含み得る。前記ＭＡＣエンティティは感知、又は部分感知又はランダム選択に基づいて、一つ以上の多数の搬送波で資源のプールを使用して送信するように上位層により構成され得る。前記上位層はＵＥのＲＲＣ層であり得る。
【０３７６】
一つ又は多数の搬送波と関連したＳＴＣＨでデータが利用可能であり、ＳＴＣＨに対して許容されたいずれの搬送波上でも構成されたサイドリンクグラントが存在しないということは、前記データが一つ又は多数の搬送波の中から現在選択された搬送波と関連していないＳＴＣＨで利用可能であるということを表し得る。前記ＳＴＣＨと一つ又は多数の搬送波との間の関連は、ネットワークにより構成されるか、及び／又は予め構成され得る。前記ＳＴＣＨは、前記ＳＴＣＨのＣＢＲ及び／又はＰＰＰＰに基づいて、一つ又は多数の搬送波のうち少なくとも一つの搬送波で送信され得る。
【０３７７】
前記メモリ６２０は、プロセッサ６１０と動作可能に連結され、プロセッサ６１０を動作させるための様々な情報を保存する。前記送受信機６３０は、プロセッサ６１０と動作可能に連結され、無線信号を送信及び／又は受信する。
【０３７８】
前記プロセッサ６１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／又はデータ処理装置を含み得る。前記メモリ６２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、保存媒体及び／又は他の保存装置を含み得る。前記送受信機６３０は、無線周波数信号を処理するための基底帯域回路（ｂａｓｅｂａｎｄ  ｃｉｒｃｕｉｔｙ）を含み得る。前記実現がソフトウェアで実現される際、ここに説明された技術は、ここに説明された機能を行うモジュール（例えば、手続、機能等）で実現され得る。前記モジュールは、メモリ６２０に保存されてもよく、プロセッサ６１０により実行されてもよい。前記メモリ６２０はプロセッサ６１０内で、又はプロセッサ６１０の外部で実現され得、この場合、公知の多様な技術を介して、プロセッサ６１０に通信可能に連結され得る。
【０３７９】
図６に示す本開示の実現に従って、ＴＸ搬送波の（再−）選択のための新しいトリガリング条件が付加され得る。より詳細には、上位層が第１のＶ２Ｘのサービスのための多数の搬送波を構成し、ＭＡＣエンティティが多数の搬送波間で搬送波を選択しても、第２のＶ２Ｘのサービスのための新しいデータが、現在選択された搬送波と関連していない論理チャネルで利用可能である際に、ＴＸ搬送波の（再−）選択はトリガーされ得、前記第２のＶ２Ｘのサービスのために新しい搬送波が選択され得る。
【０３８０】
図７は、本開示の一部の実現によるＵＥの付加的な細部事項の例を表す。ＵＥ側に対して、前記で説明された本開示の例は、この実現に適用され得る。具体的に、この実現は、前述した実現１を実現し得る。
【０３８１】
ＵＥは、プロセッサ６１０のような少なくとも一つのプロセッサ、電力管理モジュール６１１、バッテリー６１２、ディスプレイ６１３、キーパッド６１４、ＳＩＭ（ｓｕｂｓｃｒｉｂｅｒ  ｉｄｅｎｔｉｆｉｃａｔｉｏｎ  ｍｏｄｕｌｅ）カード６１５、メモリ６２０のような少なくとも一つのメモリ、送受信機６３０のような少なくとも一つの送受信機、一つ以上のアンテナ６３１、スピーカー６４０、及びマイクロフォン６４１を含む。
【０３８２】
前記プロセッサ６１０は、本明細書において説明された提案された機能、手順、及び／又は方法を実現するように構成されることができる。前記無線インターフェースプロトコルの階層は、前記プロセッサ６１０で実現されることができる。前記プロセッサ６１０は、ＡＳＩＣ 、他のチップセット、論理回路、及び／又はデータ処理装置を備えることができる。前記プロセッサ６１０、ＡＰ（ａｐｐｌｉｃａｔｉｏｎ  ｐｒｏｃｅｓｓｏｒ）でありうる。前記プロセッサ６１０、ＤＳＰ（ｄｉｇｉｔａｌ  ｓｉｇｎａｌ  ｐｒｏｃｅｓｓｏｒ）、ＣＰＵ（ｃｅｎｔｒａｌ  ｐｒｏｃｅｓｓｉｎｇ  ｕｎｉｔ）、ＧＰＵ（ｇｒａｐｈｉｃｓ  ｐｒｏｃｅｓｓｉｎｇ  ｕｎｉｔ）、モデム（Ｍｏｄｅｍ；ｍｏｄｕｌａｔｏｒ  ａｎｄ  ｄｅｍｏｄｕｌａｔｏｒ）のうち、少なくとも１つを含むことができる。前記プロセッサ６１０の例は、Ｑｕａｌｃｏｍｍにより製造されたＳＮＡＰＤＲＡＧＯＮTMシリーズプロセッサ、Ｓａｍｓｕｎｇにより製造されたＥＸＹＮＯＳTMシリーズプロセッサ、Ａｐｐｌｅにより製造されたＡシリーズプロセッサ、ＭｅｄｉａＴｅｋにより製造されたＨＥＬＩＯTMシリーズプロセッサ、ＩＮＴＥＬにより製造されたＡＴＯＭTMシリーズプロセッサ、または対応する次世代プロセッサでありうる。
【０３８３】
前記プロセッサ６１０は、多数のＭＡＣ  ＰＤＵの送信に対応して構成されたサイドリンクグラントを生成するために選択するように構成される。一つ又は多数の搬送波と関連したＳＴＣＨでデータが利用可能であり、一つ又は多数の搬送波のうち、ＳＴＣＨのために許容されたいずれの搬送波上でも構成されたサイドリンクグラントがない場合、前記プロセッサ６１０は、ＴＸ搬送波の（再−）選択手続をトリガーするように構成される。
【０３８４】
前記プロセッサ６１０は、ＭＡＣエンティティを含み得る。前記ＭＡＣエンティティは感知、又は部分感知又はランダム選択に基づいて、一つ以上の多数の搬送波で資源のプールを使用して送信するように上位層により構成され得る。前記上位層はＵＥのＲＲＣ層であり得る。
【０３８５】
一つ又は多数の搬送波と関連したＳＴＣＨでデータが利用可能であり、ＳＴＣＨに対して許容されたいずれの搬送波上でも構成されたデータが存在しないということは、前記データが一つ又は多数の搬送波の中から現在選択された搬送波と関連していないＳＴＣＨで利用可能であるということを表し得る。前記ＳＴＣＨと一つ又は多数の搬送波との間の関連は、ネットワークにより構成されるか、及び／又は予め構成され得る。前記ＳＴＣＨは、前記ＳＴＣＨのＣＢＲ及び／又はＰＰＰＰに基づいて、一つ又は多数の搬送波のうち少なくとも一つの搬送波で送信され得る。
【０３８６】
前記電力管理モジュール６１１は、プロセッサ６１０及び／又は送受信機６３０に対する電力を管理する。前記バッテリー６１２は、前記電力管理モジュール６１１に電力を供給する。前記ディスプレイ６１３は、プロセッサ６１０により処理された結果を出力する。前記キーパッド６１４は、プロセッサ６１０により使用される入力を受信する。前記キーパッド６１４は、ディスプレイ６１３に表し得る。前記ＳＩＭカード６１５は、ＩＭＳＩ（ｉｎｔｅｒｎａｔｉｏｎａｌ  ｍｏｂｉｌｅ  ｓｕｂｓｃｒｉｂｅｒ  ｉｄｅｎｔｉｔｙ）番号及び関連のキーを安全に保存するための統合回路であって、移動電話装置（携帯電話及びコンピュータ等）で加入者を識別して認証するのに使用される。連絡先情報を種々のＳＩＭカードに保存してもよい。
【０３８７】
前記メモリ６２０は、プロセッサ６１０と動作可能に連結され、プロセッサ６１０を動作させるための様々な情報を保存する。前記メモリ６２０は、ＲＯＭ、ＲＡＭ、フラッシュメモリ、メモリカード、保存媒体及び／又は他の保存装置を含み得る。前記実現がソフトウェアで実現される際、ここに説明された技術は、ここに説明された機能を行うモジュール（例えば、手続、機能等）で実現され得る。前記モジュールは、メモリ６２０に保存されてもよく、プロセッサ６１０により実行されてもよい。前記メモリ６２０はプロセッサ６１０内で、又はプロセッサ６１０の外部で実現され得、この場合、公知の多様な技術を介して、プロセッサ６１０に通信可能に連結され得る。
【０３８８】
前記送受信機６３０は、プロセッサ６１０と動作可能に連結され、無線信号を送信及び／又は受信する。前記送受信機６３０は送信機（ｔｒａｎｓｍｉｔｔｅｒ）及び受信機（ｒｅｃｅｉｖｅｒ）を含む。前記送受信機６３０は、無線周波数信号を処理するための基底帯域回路を含み得る。前記送受信機６３０は、無線信号を送信及び／又は受信するように一つ以上のアンテナ６３１を制御する。
【０３８９】
スピーカー６４０は、プロセッサ６１０により処理されたサウンド関連の結果を出力する。マイクロフォン６４１は、プロセッサ６１０により使用されるサウンド関連の入力を受信する。
【０３９０】
図７に示す本開示の実現に従って、ＴＸ搬送波の（再−）選択のための新しいトリガリング条件が付加され得る。より詳細には、上位層が第１のＶ２Ｘのサービスのための多数の搬送波を構成し、ＭＡＣエンティティが多数の搬送波間で搬送波を選択しても、第２のＶ２Ｘのサービスのための新しいデータが、現在選択された搬送波と関連していない論理チャネルで利用可能である際に、ＴＸ搬送波の（再−）選択はトリガーされ得、前記第２のＶ２Ｘのサービスのために新しい搬送波が選択され得る。
【０３９１】
図８は、本開示の実現によるネットワークノードの例を示す。ネットワーク側について前記で説明された本開示は、この実現に適用され得る。
【０３９２】
ネットワークノード８００は、プロセッサ８１０のような少なくとも一つのプロセッサ、メモリ８２０のような少なくとも一つのメモリ、及び送受信機８３０を含む。前記プロセッサ８１０は、この説明で説明されて提案された機能、手続及び／又は方法を実現するように構成され得る。無線インターフェースプロトコルの層は、プロセッサ８１０で実現され得る。前記メモリ８２０は、プロセッサ８１０と動作可能に連結され、プロセッサ８１０を動作させるための多様な情報を保存する。前記送受信機８３０は、プロセッサ８１０と動作可能に連結され、無線信号を送信及び／又は受信する。
【０３９３】
前記プロセッサ８１０は、ＡＳＩＣ、他のチップセット、論理回路及び／又はデータ処理装置を含み得る。前記メモリ８２０は、ＲＯＭ、ＲＡＭ、フラッシュメモリ、メモリカード、保存媒体及び／又は他の保存装置を含み得る。前記送受信機８３０は、無線周波数信号を処理するための基底帯域回路を含み得る。前記実現がソフトウェアで実現される際、ここに説明された技術は、ここに説明された機能を行うモジュール（例えば、手続、機能等）で実現され得る。前記モジュールは、メモリ８２０に保存され、プロセッサ８１０により実行されてもよい。前記メモリ８２０はプロセッサ８１０内で、又はプロセッサ８１０の外部で実現され得、この場合、公知の多様な技術を介して、プロセッサ８１０に通信可能に連結され得る。
【０３９４】
前述した例示的なシステムで、前述した本発明の特徴によって実現できる方法は順序図に基づいて説明された。便宜上、方法は一連のステップまたはブロックで説明されたが、請求された本発明の特徴はステップまたはブロックの順序に限定されるものではなく、あるステップは他のステップと前述したことと異なる順序で、または同時に発生することができる。また、当業者であれば、順序図に示したステップが排他的でなく、他のステップが含まれるか、または順序図の１つまたはその以上のステップが本発明の範囲に影響を及ぼさず、削除できることを理解することができる。
【図１】
2021512552.tif 000005
【図２】
2021512552.tif 000006
【図３】
2021512552.tif 000007
【図４】
2021512552.tif 000008
【図５】
2021512552.tif 000009
【図６】
2021512552.tif 000010
【図７】
2021512552.tif 000011
【図８】
2021512552.tif 000012
【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
無線通信システムにおける無線機器によって行われる方法であって、
一つ以上の搬送波を構成する段階と、
ＳＴＣＨ（ｓｉｄｅｌｉｎｋ  ｔｒａｆｆｉｃ  ｃｈａｎｎｅｌ）でデータが利用可能であれば、
前記構成された一つ以上の搬送波を使用したデータ送信が可能ではないことを決定する段階と、
前記構成された一つ以上の搬送波を使用したデータ送信が可能ではないという決定に基づいて、送信搬送波の選択（ｔｒａｎｓｍｉｓｓｉｏｎ  ｃａｒｒｉｅｒ  ｓｅｌｅｃｔｉｏｎ）手続を行う段階とを含む、方法。
【請求項２】
前記方法は、前記無線機器のＭＡＣエンティティ（ｅｎｔｉｔｙ）によって実行される、請求項１に記載の方法。
【請求項３】
前記無線機器の前記ＭＡＣエンティティは、感知（ｓｅｎｓｉｎｇ）、部分感知（ｐａｒｔｉａｌ  ｓｅｎｓｉｎｇ）、又はランダム選択（ｒａｎｄｏｍ  ｓｅｌｅｃｔｉｏｎ）に基づいて、前記一つ以上の搬送波で資源のプール（ｐｏｏｌ）を使用して送信するように前記無線機器の上位層によって構成される、請求項２に記載の方法。
【請求項４】
前記無線機器の上位層は、前記無線機器のＲＲＣ（ｒａｄｉｏ  ｒｅｓｏｕｒｃｅ  ｃｏｎｔｒｏｌ）層である、請求項３に記載の方法。
【請求項５】
前記ＳＴＣＨで利用可能な前記データは、前記一つ以上の搬送波の中から選択された搬送波と関連していない、請求項１に記載の方法。
【請求項６】
前記ＳＴＣＨと前記一つ以上の搬送波との間の関連（ａｓｓｏｃｉａｔｉｏｎ）は、ネットワークと事前構成（ｐｒｅ−ｃｏｎｆｉｇｕｒａｔｉｏｎ）のうち少なくとも一つにより構成される、請求項１に記載の方法。
【請求項７】
前記ＳＴＣＨは、前記ＳＴＣＨのＣＢＲ（ｃｈａｎｎｅｌ  ｂｕｓｙ  ｒａｔｉｏ）とＰＰＰＰ（ＰｒｏＳｅ（ｐｒｏｘｉｍｉｔｙ−ｂａｓｅｄ  ｓｅｒｖｉｃｅｓ）  ｐｅｒ−ｐａｃｋｅｔ  ｐｒｉｏｒｉｔｙ）のうち少なくとも一つに基づいて、前記一つ以上の搬送波のうち少なくとも一つの搬送波で送信されることができるように許容される、請求項６に記載の方法。
【請求項８】
前記ＳＴＣＨで利用可能な前記データを前記送信搬送波の選択手続に基づいて選択された少なくとも一つの搬送波を使用して送信する段階をさらに含む、請求項１に記載の方法。
【請求項９】
前記無線機器は、ＵＥ（ｕｓｅｒ  ｅｑｕｉｐｍｅｎｔ：端末）、ネットワーク、及び／又は前記無線機器と異なる自律車両のうち少なくとも一つと通信する、請求項１に記載の方法。
【請求項１０】
無線通信システムで作動するように構成された無線機器であって、
送受信機（ｔｒａｎｓｃｅｉｖｅｒ）と、
少なくとも一つのメモリと、
前記少なくとも一つのメモリと作動可能に連結された少なくとも一つのプロセッサとを備え、
前記少なくとも一つのプロセッサは、前記少なくとも一つのプロセッサにより行われる際に、
一つ以上の搬送波を構成する段階と、
ＳＴＣＨ（ｓｉｄｅｌｉｎｋ  ｔｒａｆｆｉｃ  ｃｈａｎｎｅｌ）でデータが利用可能であれば：
前記構成された一つ以上の搬送波を使用したデータ送信が可能ではないことを決定する段階と、
前記構成された一つ以上の搬送波を使用したデータ送信が可能ではないという決定に基づいて、送信搬送波の選択（ｔｒａｎｓｍｉｓｓｉｏｎ  ｃａｒｒｉｅｒ  ｓｅｌｅｃｔｉｏｎ）手続を行う段階とを含む作動を実行する指示を保存する、無線機器。
【請求項１１】
前記作動は、前記無線機器のＭＡＣエンティティ（ｅｎｔｉｔｙ）によって実行される、請求項１０に記載の無線機器。
【請求項１２】
前記無線機器の前記ＭＡＣエンティティは、感知（ｓｅｎｓｉｎｇ）、部分感知（ｐａｒｔｉａｌ  ｓｅｎｓｉｎｇ）、又はランダム選択（ｒａｎｄｏｍ  ｓｅｌｅｃｔｉｏｎ）に基づいて、前記一つ以上の搬送波で資源のプール（ｐｏｏｌ）を使用して送信するように上位層によって構成される、請求項１１に記載の無線機器。
【請求項１３】
前記無線機器の上位層は、前記ＵＥのＲＲＣ（ｒａｄｉｏ  ｒｅｓｏｕｒｃｅ  ｃｏｎｔｒｏｌ）層である、請求項１２に記載の無線機器。
【請求項１４】
前記ＳＴＣＨで利用可能な前記データは、前記一つ以上の搬送波の中から選択された搬送波と関連していない、請求項１０に記載の無線機器。
【請求項１５】
装置であって、
少なくとも一つのメモリと、
前記少なくとも一つのメモリと作動可能に連結された少なくとも一つのプロセッサとを備え、
前記少なくとも一つのプロセッサは、前記少なくとも一つのプロセッサにより行われる際に、
一つ以上の搬送波を構成する段階と、
ＳＴＣＨ（ｓｉｄｅｌｉｎｋ  ｔｒａｆｆｉｃ  ｃｈａｎｎｅｌ）でデータが利用可能であれば：
前記構成された一つ以上の搬送波を使用したデータ送信が可能ではないことを決定する段階と、
前記構成された一つ以上の搬送波を使用したデータ送信が可能ではないという決定に基づいて、送信搬送波の選択（ｔｒａｎｓｍｉｓｓｉｏｎ  ｃａｒｒｉｅｒ  ｓｅｌｅｃｔｉｏｎ）手続を行う段階とを含む作動を実行する指示を保存する、装置。
【国際調査報告】
2021512552.tif 000013
2021512552.tif 000014